(57)【要約】【課題】アライメントズレが発生しても視認性の悪化の抑制を図ることが可能な配線体を提供する。【解決手段】配線体１０は、第１及び第２の導体部３０，５０を備え、第１の導体部は、複数の第１の単位メッシュ３２２を含む第１の本体部３２を有する第１の電極パターン３１を含み、第２の導体部は、複数の第２の単位メッシュ５２２を含む第２の本体部５２を有する第２の電極パターン５１を含み、第１及び第２の導体部は、平面視において、第１の本体部と前記第２の本体部との間に介在すると共に、ｍ方向に沿って配列された複数のダミーパターン１４１を含み、それぞれのダミーパターンは、ｎ方向に沿って延在する第１の細線３５１ａ，５５１ａを含み、第１の細線のピッチＤＣｍのばらつきは、第１及び第２の単位メッシュのピッチＭＡｍ，ＭＢｍのばらつきよりも大きい。【選択図】図１６
2019212215.tif 000002
【特許請求の範囲】
【請求項１】
第１の導体部と、
第２の導体部と、
前記第１の導体部と前記第２の導体部の間に介在する絶縁部と、を備え、
前記第１の導体部は、複数の第１の単位メッシュを含むメッシュ状の第１の本体部を有し、第１の方向に沿って延在する第１の電極パターンを含み、
前記第２の導体部は、複数の第２の単位メッシュを含むメッシュ状の第２の本体部を有し、前記第１の方向と交差する第２の方向に沿って延在する第２の電極パターンを含み、
平面視において、前記第１の電極パターンと前記第２の電極パターンは相互に交差しており、
前記第１及び前記第２の導体部の少なくとも一方は、前記第１及び前記第２の電極パターンと電気的に絶縁され、平面視において、前記第１の本体部と前記第２の本体部との間に介在すると共に、前記第１及び前記第２の方向に交差する第３の方向に沿って配列された複数のダミーパターンを含み、
それぞれの前記ダミーパターンは、前記第１〜第３の方向に交差する第４の方向に沿って延在する第１のダミー細線を含み、
前記第１のダミー細線のピッチのばらつきは、前記第１の単位メッシュのピッチのばらつきよりも大きく、且つ、前記第２の単位メッシュのピッチのばらつきよりも大きい配線体。
【請求項２】
請求項１に記載の配線体であって、
前記ダミーパターンは、前記第１の導体部に含まれ、前記第１の電極パターンと電気的に絶縁された複数の第１のダミーパターンを含み、
第１のピッチは、前記第１のダミーパターンの前記第１のダミー細線のピッチ、又は、前記第２の単位メッシュのピッチに対応した複数の前記第１のダミーパターンの前記第１のダミー細線のピッチであり、
第２のピッチは、前記第１のダミーパターンの前記第１のダミー細線のピッチに対応した複数の前記第２の単位メッシュのピッチ、又は、前記第２の単位メッシュのピッチであり、
前記第１のピッチのばらつきは、前記第２のピッチのばらつきよりも大きい配線体。
【請求項３】
請求項２に記載の配線体であって、
前記ダミーパターンは、前記第２の導体部に含まれ、前記第２の電極パターンと電気的に絶縁された複数の第２のダミーパターンを含み、
前記第１のダミーパターンと前記第２のダミーパターンとは、平面視において、前記第３の方向に沿って交互に配置されており、
第３のピッチは、前記第２のダミーパターンの前記第１のダミー細線のピッチ、又は、前記第１の単位メッシュに対応した複数の前記第２のダミーパターンの前記第１のダミー細線のピッチであり、
第４のピッチは、前記第２のダミーパターンの前記第１のダミー細線のピッチに対応した複数の前記第１の単位メッシュのピッチ、又は、前記第１の単位メッシュのピッチであり、
前記第３のピッチのばらつきは、前記第４のピッチのばらつきよりも大きい配線体。
【請求項４】
請求項１〜３のいずれか一項に記載の配線体であって、
複数の前記第１のダミー細線の重心は、前記第３の方向に沿った同一の仮想直線上に位置していない配線体。
【請求項５】
請求項１〜４のいずれか一項に記載の配線体であって、
それぞれの前記ダミーパターンは、前記第３の方向に延在する第２のダミー細線を含み、
前記第２のダミー細線のピッチのばらつきは、前記第１の単位メッシュのピッチのばらつきよりも大きく、且つ、前記第２の単位メッシュのピッチのばらつきよりも大きい配線体。
【請求項６】
請求項５に記載の配線体であって、
前記ダミーパターンは、前記第１の導体部に含まれ、前記第１の電極パターンと電気的に絶縁された複数の第１のダミーパターンを含み、
第５のピッチは、前記第１のダミーパターンの前記第２のダミー細線のピッチ、又は、前記第２の単位メッシュに対応した複数の前記第１のダミーパターンの前記第２のダミー細線のピッチであり、
第６のピッチは、前記第１のダミーパターンの前記第２のダミー細線のピッチに対応した複数の前記第２の単位メッシュのピッチ、又は、前記第２の単位メッシュのピッチであり、
前記第５のピッチのばらつきは、前記第６のピッチのばらつきよりも大きい配線体。
【請求項７】
請求項５又は６に記載の配線体であって、
前記ダミーパターンは、前記第２の導体部に含まれ、前記第２の電極パターンと電気的に絶縁された複数の第２のダミーパターンを含み、
前記第１のダミーパターンと前記第２のダミーパターンとは、平面視において、前記第３の方向に沿って交互に配置されており、
第７のピッチは、前記第２のダミーパターンの前記第２のダミー細線のピッチ、又は、前記第１の単位メッシュのピッチに対応した複数の前記第２のダミーパターンの前記第２のダミー細線のピッチであり、
第８のピッチは、前記第２のダミーパターンの前記第２のダミー細線のピッチに対応した複数の前記第１の単位メッシュのピッチ、又は、前記第１の単位メッシュのピッチであり、
前記第７のピッチのばらつきは、前記第８のピッチのばらつきよりも大きい配線体。
【請求項８】
請求項５〜７のいずれか一項に記載の配線体であって、
複数の前記第２のダミー細線の重心は、前記第３の方向に沿った同一の仮想直線上に位置していない配線体。
【請求項９】
請求項１〜８のいずれか一項に記載の配線体であって、
前記第１の電極パターンは、
第１の方向に沿って配置された複数の前記第１の本体部と、
複数の第３の単位メッシュを含み、前記第１の本体部同士を連結するメッシュ状の第１の連結部と、を含み、
前記第２の電極パターンは、
第２の方向に沿って配置された複数の前記第２の本体部と、
複数の第４の単位メッシュを含み、前記第２の本体部同士を連結するメッシュ状の第２の連結部と、を含んでおり、
平面視において、前記第１の連結部と前記第２の連結部が相互に交差することで、複数の第５の単位メッシュからなるメッシュパターンが形成されており、
第９のピッチは、前記第３の単位メッシュのピッチ、又は、前記第１の単位メッシュのピッチに対応した複数の前記第３の単位メッシュのピッチであり、
第１０のピッチは、前記第３の単位メッシュのピッチに対応した複数の前記第１の単位メッシュのピッチ、又は、前記第１の単位メッシュのピッチであり、
第１１のピッチは、前記第４の単位メッシュ、又は、前記第２の単位メッシュのピッチに対応した複数の前記第４の単位メッシュのピッチであり、
第１２のピッチは、前記第４の単位メッシュのピッチに対応した複数の前記第２の単位メッシュのピッチ、又は、前記第２の単位メッシュのピッチであり、
前記第９のピッチのばらつきが前記第１０のピッチのばらつきよりも大きいこと、及び、前記第１１のピッチのばらつきが前記第１２のピッチのばらつきよりも大きいこと、の少なくとも一方を満たす配線体。
【請求項１０】
請求項８に記載の配線体であって、
複数の前記第３の単位メッシュは、複数の第１の細線を相互に交差させることで形成され、
複数の前記第４の単位メッシュも、複数の第２の細線を相互に交差させることで形成されており、
前記第３及び前記第４の単位メッシュの少なくとも一方が不規則なランダム形状を有するように、前記第１及び前記第２の細線の少なくとも一方は、屈曲部分を有している配線体。
【請求項１１】
請求項１〜１０に記載の配線体であって、
前記第１のダミー細線のピッチがばらついており、前記第１及び前記第２の単位メッシュのピッチが実質的に一定である配線体。
【請求項１２】
請求項１〜１１のいずれか一項に記載の配線体と、
前記配線体を支持する支持体と、を備えた配線板。
【請求項１３】
請求項１２に記載の配線板を備えたタッチセンサ。
【発明の詳細な説明】
【技術分野】
【０００１】
本発明は、配線体、配線板、及び、タッチセンサに関するものである。
【背景技術】
【０００２】
第１基体上に第１導体部を形成した第１導電シートと、第２基体上に第２導体部を形成した第２導電シートと、を相互に積層して構成されるタッチパネルが知られている（例えば特許文献１参照）。
【０００３】
このタッチパネルでは、第１導体部が、複数の小格子が組み合わされて構成された第１大格子と、第１大格子と非接続とされ、当該第１大格子の周囲に形成された第１非接続パターンと、を有している。また、第２導体部が、複数の小格子が組み合わされて構成された第２大格子と、第２大格子と非接続とされ、当該第２大格子の周囲に形成された第２非接続パターンと、を有している。さらに、平面視において、第１及び第２非接続パターンが組み合わさることで、複数の小格子が組み合わされて構成された組み合わせダミーパターンが形成されている。
【先行技術文献】
【特許文献】
【０００４】
【特許文献１】特開２０１１−１７５６２８号公報
【発明の概要】
【発明が解決しようとする課題】
【０００５】
上記のタッチパネルでは、第１大格子、第１非接続パターン、第２大格子、及び、第２非接続パターンがそれぞれ規則的に配置されている。また、第１（第２）非接続パターンと第２（第１）大格子とは異なる基体にそれぞれ形成されている。このため、製造工程でのばらつきによって、第１導電シートと第２導電シートの積層時にアライメントズレ（第１（第２）非接続パターンと第２（第１）大格子の位置ズレ）が発生すると、第１（第２）非接続パターンと第２（第１）大格子により周期的な濃淡差が発生し、視認性が悪化してしまう場合もある。
【０００６】
本発明が解決しようとする課題は、アライメントズレが発生しても視認性の悪化の抑制を図ることが可能な配線体、配線板、及び、タッチセンサを提供することである。
【課題を解決するための手段】
【０００７】
［１］本発明に係る配線体は、第１の導体部と、第２の導体部と、前記第１の導体部と前記第２の導体部の間に介在する絶縁部と、を備え、前記第１の導体部は、複数の第１の単位メッシュを含むメッシュ状の第１の本体部を有し、第１の方向に沿って延在する第１の電極パターンを含み、前記第２の導体部は、複数の第２の単位メッシュを含むメッシュ状の第２の本体部を有し、前記第１の方向と交差する第２の方向に沿って延在する第２の電極パターンを含み、平面視において、前記第１の電極パターンと前記第２の電極パターンは相互に交差しており、前記第１及び前記第２の導体部の少なくとも一方は、前記第１及び前記第２の電極パターンと電気的に絶縁され、平面視において、前記第１の本体部と前記第２の本体部との間に介在すると共に、前記第１及び前記第２の方向に交差する第３の方向に沿って配列された複数のダミーパターンを含み、それぞれの前記ダミーパターンは、前記第１〜第３の方向に交差する第４の方向に沿って延在する第１のダミー細線を含み、前記第１のダミー細線のピッチのばらつきは、前記第１の単位メッシュのピッチのばらつきよりも大きく、且つ、前記第２の単位メッシュのピッチのばらつきよりも大きい配線体である。
【０００８】
［２］上記発明において、前記ダミーパターンは、前記第１の導体部に含まれ、前記第１の電極パターンと電気的に絶縁された複数の第１のダミーパターンを含み、第１のピッチは、前記第１のダミーパターンの前記第１のダミー細線のピッチ、又は、前記第２の単位メッシュのピッチに対応した複数の前記第１のダミーパターンの前記第１のダミー細線のピッチであり、第２のピッチは、前記第１のダミーパターンの前記第１のダミー細線のピッチに対応した複数の前記第２の単位メッシュのピッチ、又は、前記第２の単位メッシュのピッチであり、前記第１のピッチのばらつきは、前記第２のピッチのばらつきよりも大きくてもよい。
【０００９】
［３］上記発明において、前記ダミーパターンは、前記第２の導体部に含まれ、前記第２の電極パターンと電気的に絶縁された複数の第２のダミーパターンを含み、前記第１のダミーパターンと前記第２のダミーパターンとは、平面視において、前記第３の方向に沿って交互に配置されており、第３のピッチは、前記第２のダミーパターンの前記第１のダミー細線のピッチ、又は、前記第１の単位メッシュに対応した複数の前記第２のダミーパターンの前記第１のダミー細線のピッチであり、第４のピッチは、前記第２のダミーパターンの前記第１のダミー細線のピッチに対応した複数の前記第１の単位メッシュのピッチ、又は、前記第１の単位メッシュのピッチであり、前記第３のピッチのばらつきは、前記第４のピッチのばらつきよりも大きくてもよい。
【００１０】
［４］上記発明において、複数の前記第１のダミー細線の重心は、前記第３の方向に沿った同一の仮想直線上に位置していなくてもよい。
【００１１】
［５］上記発明において、それぞれの前記ダミーパターンは、前記第３の方向に延在する第２のダミー細線を含み、前記第２のダミー細線のピッチのばらつきは、前記第１の単位メッシュのピッチのばらつきよりも大きく、且つ、前記第２の単位メッシュのピッチのばらつきよりも大きくてもよい。
【００１２】
［６］上記発明において、前記ダミーパターンは、前記第１の導体部に含まれ、前記第１の電極パターンと電気的に絶縁された複数の第１のダミーパターンを含み、第５のピッチは、前記第１のダミーパターンの前記第２のダミー細線のピッチ、又は、前記第２の単位メッシュに対応した複数の前記第１のダミーパターンの前記第２のダミー細線のピッチであり、第６のピッチは、前記第１のダミーパターンの前記第２のダミー細線のピッチに対応した複数の前記第２の単位メッシュのピッチ、又は、前記第２の単位メッシュのピッチであり、前記第５のピッチのばらつきは、前記第６のピッチのばらつきよりも大きくてもよい。
【００１３】
［７］上記発明において、前記ダミーパターンは、前記第２の導体部に含まれ、前記第２の電極パターンと電気的に絶縁された複数の第２のダミーパターンを含み、前記第１のダミーパターンと前記第２のダミーパターンとは、平面視において、前記第３の方向に沿って交互に配置されており、第７のピッチは、前記第２のダミーパターンの前記第２のダミー細線のピッチ、又は、前記第１の単位メッシュのピッチに対応した複数の前記第２のダミーパターンの前記第２のダミー細線のピッチであり、第８のピッチは、前記第２のダミーパターンの前記第２のダミー細線のピッチに対応した複数の前記第１の単位メッシュのピッチ、又は、前記第１の単位メッシュのピッチであり、前記第７のピッチのばらつきは、前記第８のピッチのばらつきよりも大きくてもよい。
【００１４】
［８］上記発明において、複数の前記第２のダミー細線の重心は、前記第３の方向に沿った同一の仮想直線上に位置していなくてもよい。
【００１５】
［９］上記発明において、前記第１の電極パターンは、第１の方向に沿って配置された複数の前記第１の本体部と、複数の第３の単位メッシュを含み、前記第１の本体部同士を連結するメッシュ状の第１の連結部と、を含み、前記第２の電極パターンは、第２の方向に沿って配置された複数の前記第２の本体部と、複数の第４の単位メッシュを含み、前記第２の本体部同士を連結するメッシュ状の第２の連結部と、を含んでおり、平面視において、前記第１の連結部と前記第２の連結部が相互に交差することで、複数の第５の単位メッシュからなるメッシュパターンが形成されており、第９のピッチは、前記第３の単位メッシュのピッチ、又は、前記第１の単位メッシュのピッチに対応した複数の前記第３の単位メッシュのピッチであり、第１０のピッチは、前記第３の単位メッシュのピッチに対応した複数の前記第１の単位メッシュのピッチ、又は、前記第１の単位メッシュのピッチであり、第１１のピッチは、前記第４の単位メッシュ、又は、前記第２の単位メッシュのピッチに対応した複数の前記第４の単位メッシュのピッチであり、第１２のピッチは、前記第４の単位メッシュのピッチに対応した複数の前記第２の単位メッシュのピッチ、又は、前記第２の単位メッシュのピッチであり、前記第９のピッチのばらつきが前記第１０のピッチのばらつきよりも大きいこと、及び、前記第１１のピッチのばらつきが前記第１２のピッチのばらつきよりも大きいこと、の少なくとも一方を満たしていてもよい。
【００１６】
［１０］上記発明において、複数の前記第３の単位メッシュは、複数の第１の細線を相互に交差させることで形成され、複数の前記第４の単位メッシュも、複数の第２の細線を相互に交差させることで形成されており、前記第３及び前記第４の単位メッシュの少なくとも一方が不規則なランダム形状を有するように、前記第１及び前記第２の細線の少なくとも一方は、屈曲部分を有していてもよい。
【００１７】
［１１］上記発明において、前記第１のダミー細線のピッチがばらついており、前記第１及び前記第２の単位メッシュのピッチが実質的に一定であってもよい。
【００１８】
［１２］本発明に係る配線板は、上記の配線体と、前記配線体を支持する支持体と、を備えた配線板である。
【００１９】
［１３］本発明に係るタッチセンサは、上記の配線板を備えたタッチセンサである。
【発明の効果】
【００２０】
本発明によれば、ダミーパターンの第１の細線のピッチのばらつきは、第１の本体部の第１の単位メッシュのピッチのばらつきよりも大きく、且つ、第２の本体部の第２の単位メッシュのピッチのばらつきよりも大きくなっている。このため、ダミーパターンと第１及び第２の本体部とによって濃淡差が発生しても、当該濃淡差はランダムになる。従って、アライメントズレ（第１及び第２の本体部に対するダミーパターンの相対的な位置ズレ）が発生しても、タッチセンサの視認性の悪化の抑制を図ることができる。
【図面の簡単な説明】
【００２１】
【図１】図１は、本発明の第１実施形態におけるタッチセンサを示す分解斜視図である。
【図２】図２は、本発明の第１実施形態における第１の電極パターンを示す平面図である。
【図３】図３は、本発明の第１実施形態における第１の本体部を示す平面図である。
【図４】図４は、図３のIV-IV線に沿った断面図である。
【図５】図５は、本発明の第１実施形態における第１の連結部を示す平面図である。
【図６】図６は、図５のVI部の拡大図である。
【図７】図７は、本発明の第１実施形態における第１のダミーパターンを示す図であり、図２のVII部の拡大図である。
【図８】図８は、本発明の第１実施形態における第１のダミーパターンを示す図であり、図２のVIII部の拡大図である。
【図９】図９は、本発明の第１実施形態における第２の電極パターンを示す平面図である。
【図１０】図１０は、本発明の第１実施形態における第２の本体部を示す平面図である。
【図１１】図１１は、本発明の第１実施形態における第２の連結部を示す平面図である。
【図１２】図１２は、本発明の第１実施形態における第２のダミーパターンを示す図であり、図９のXII部の拡大図である。
【図１３】図１３は、本発明の第１実施形態における第２のダミーパターンを示す図であり、図９のXIII部の拡大図である。
【図１４】図１４は、本発明の第１実施形態における組み合わせパターンを示す平面図である。
【図１５】図１５は、本発明の第１実施形態における第１及び第２の本体部の変形例を示す拡大平面図である。
【図１６】図１６は、本発明の第１実施形態における組み合わせダミーパターンを示す図であり、図１４のXVI部の拡大図である。
【図１７】図１７は、本発明の第１実施形態における組み合わせダミーパターンを示す図であり、図１４のXVII部の拡大図である。
【図１８】図１８は、本発明の第２実施形態における第１及び第２の導体部を示す概略平面図である。
【図１９】図１９は、図１８に示す第１及び第２のダミーパターンを示す図であり、図１８のXIX部の拡大図である。
【図２０】図２０は、本発明の第３実施形態における第１及び第２の導体部を示す平面図である。
【図２１】図２１は、図２０に示す第１及び第２のダミーパターンを示す図であり、図２０のXXI部の拡大図である。
【図２２】図２２は、本発明の第４実施形態における第１及び第２の導体部を示す平面図である。
【図２３】図２３は、図２２に示す第１及び第２のダミーパターンを示す図であり、図２２のXXIII部の拡大図である。
【図２４】図２４は、本発明の第５実施形態における第１及び第２の導体部を示す平面図である。
【図２５】図２５は、図２４に示す第１及び第２のダミーパターンを示す図であり、図２４のXXV部の拡大図である。
【発明を実施するための形態】
【００２２】
以下、本発明の実施形態を図面に基づいて説明する。
【００２３】
≪第１実施形態≫
図１は本実施形態におけるタッチセンサを示す分解斜視図である。
【００２４】
図１に示すタッチセンサ１は、投影型の静電容量方式のタッチパネルセンサであり、例えば、表示装置（不図示）等と組み合わせて、タッチ位置を検出する機能を有する入力装置として用いられる。表示装置としては、特に限定されず、液晶ディスプレイ、有機ＥＬディスプレイ、電子ペーパ等を用いることができる。このタッチセンサ１は、表示装置の表示領域に対応するように配置された検出電極と駆動電極（後述する第１の電極パターン３１及び第２の電極パターン５１）を有しており、この２つの電極の間には、外部回路（不図示）から所定電圧が周期的に印加されている。
【００２５】
このようなタッチセンサ１では、例えば、操作者の指（外部導体）Ｆがタッチセンサ１に接近すると、この外部導体Ｆとタッチセンサ１との間でコンデンサ（電気容量）が形成され、２つの電極間の電気的な状態が変化する。タッチセンサ１は、２つの電極間の電気的な変化に基づいて、操作者の操作位置を検出することができる。
【００２６】
タッチセンサ１は、図１に示すように、支持体５と配線体１０を含む配線板２と、配線板２の片面に貼り付けられたカバー部材７０と、を備えている。本実施形態の配線板２は、上記表示装置の視認性を確保するため、全体的に透明性（透光性）を有するように構成されている。本実施形態における「配線体１０」が、本発明における「配線体」の一例に相当し、本実施形態における「支持体５」が、本発明における「支持体」の一例に相当し、本実施形態における「配線板２」が、本発明における「配線板」の一例に相当する。
【００２７】
支持体５は、矩形状の外形を有し、透明性を有する材料で構成されている。この支持体５を構成する材料としては、例えば、ポリエチレンテレフタレート（ＰＥＴ）、ポリエチレンナフタレート（ＰＥＮ）、ポリイミド樹脂（ＰＩ）、ポリエーテルイミド樹脂（ＰＥＩ）、ポリカーボネート（ＰＣ）、ポリエーテルエーテルケトン（ＰＥＥＫ）、液晶ポリマー（ＬＣＰ）、シクロオレフィンポリマー（ＣＯＰ）、シリコーン樹脂（ＳＩ）、アクリル樹脂、フェノール樹脂、エポキシ樹脂、ガラス等を用いることができる。この支持体５には、配線体１０が貼り付けられており、支持体５によって配線体１０が支持されている。この場合、支持体５は、配線体１０を支持できる程度の剛性を有していることが好ましい。
【００２８】
配線体１０は、図１に示すように、第１の絶縁部２０と、第１の導体部３０と、第２の絶縁部４０と、第２の導体部５０と、第３の絶縁部６０と、を備えている。この配線体１０は、上記表示装置の視認性を確保するために、全体的に透明性（透光性）を有するように構成されている。
【００２９】
本実施形態では、第１の導体部３０が第１の絶縁部２０上に配置されていると共に、第２の導体部５０が第２の絶縁部４０上に配置されており、第１の絶縁部２０に第２の絶縁部４０が積層されている。すなわち、第１の導体部３０が第２の絶縁部４０の一方の側に配置されているのに対し、第２の導体部５０が当該第２の絶縁部４０の他方の側に配置されており、第２の絶縁部４０を介して、第１の導体部３０と第２の導体部５０とが相互に対向している。従って、本実施形態における第２の絶縁部４０が、本発明における絶縁部の一例に相当する。そして、第２の導体部５０は、第１の導体部３０よりも、外部導体Ｆが接触する側に近い位置に配設されている。つまり、第１導電部３０が表示装置側に位置し、第２導電部５０が操作者側（外部導体Ｆが接触する面側）に位置している。
【００３０】
第１の絶縁部２０は、矩形状の外形を有し、透明性と電気絶縁性を有する樹脂材料で構成されている。この透明性を有する樹脂材料としては、例えば、エポキシ樹脂、アクリル樹脂、ポリエステル樹脂、ウレタン樹脂、ビニル樹脂、シリコーン樹脂、フェノール樹脂、ポリイミド樹脂等のＵＶ硬化性樹脂、熱硬化性樹脂又は熱可塑性樹脂等を例示することができる。この第１の絶縁部２０の下面が、支持体５に貼り付けられている。
【００３１】
図２は本実施形態における第１の電極パターンを示す平面図、図３は本実施形態における第１の本体部を示す平面図、図４は図３のIV-IV線に沿った断面図、図５は本実施形態における第１の連結部を示す平面図、図６は図５のVI部の拡大図、図７は図２のVII部の拡大図、図８は図２のVIII部の拡大図である。なお、図２では、第１の連結部３３の単位大メッシュ３３２のランダム形状、及び、第１のダミーパターン３５のピッチのばらつきを加味しておらず、後述する図１４についても同様である。
【００３２】
第１の導体部３０は、第１の絶縁部２０上に設けられており、第１の絶縁部２０によって保持されている。この第１の導体部３０は、導電性ペーストを印刷して硬化させることで形成されている。導電性ペーストの具体例としては、導電性材料及びバインダ樹脂を、水、もしくは溶剤、及び各種添加剤に混合して構成されたものを例示することができる。なお、導電性ペーストからバインダ樹脂を省略してもよい。
【００３３】
導電性材料の具体例としては、銀や銅、ニッケル、スズ、ビスマス、亜鉛、インジウム、パラジウム等の金属材料や、グラファイト、カーボンブラック（ファーネスブラック、アセチレンブラック、ケッチェンブラック）、カーボンナノチューブ、カーボンナノファイバ等のカーボン系材料を挙げることができる。なお、導電性材料として、金属塩を用いてもよい。金属塩の具体例としては、上述の金属の塩を挙げることができる。バインダ樹脂の具体例としては、アクリル樹脂、ポリエステル樹脂、エポキシ樹脂、ビニル樹脂、ウレタン樹脂、フェノール樹脂、ポリイミド樹脂、シリコーン樹脂、フッ素樹脂等を挙げることができる。溶剤の具体例としては、α-テルピネオール、ブチルカルビトールアセテート、ブチルカルビトール、１−デカノール、ブチルセルソルブ、ジエチレングリコールモノエチルエーテルアセテート、テトラデカン等を挙げることができる。
【００３４】
第１の導体部３０は、図１及び図２に示すように、複数の第１の電極パターン３１と、複数の第１の引出配線パターン３４と、複数の第１のダミーパターン３５と、を含んでいる。第１の電極パターン３１と、第１の引出配線パターン３４と、第１のダミーパターン３５とは、実質的に同一の平面上に設けられている。なお、第１の電極パターン３１の数は特に限定されず、任意に設定することができ、第１の引出配線パターン３４の数も特に限定されず、第１の電極パターン３１の数に応じて設定される。また、第１のダミーパターン３５の数も特に限定されない。
【００３５】
それぞれの第１の電極パターン３１は、図中Ｘ方向に延在している。そして、複数の第１の電極パターン３１は、図中Ｙ方向に並べられている。それぞれの第１の電極パターン３１は、複数の第１の本体部３２と、複数の第１の連結部３３と、を含んでいる。
【００３６】
第１の本体部３２は、略菱形形状を有している。複数の第１の本体部３２は、第１の電極パターン３１の延在方向（図中Ｘ方向）に並べられている。相互に隣り合う第１の本体部３２同士は、第１の連結部３３を介して電気的に接続されている。第１の本体部３２は、図２及び図３に示すように、複数の直線状の細線３２１ａ，３２１ｂを有している。なお、第１の本体部３２を構成する細線３２１ａ，３２１ｂの本数は特に限定されない。本実施形態において、細線３２１ａ，３２１ｂを細線３２１と総称する。
【００３７】
この細線３２１は、図４に示すように、第１の絶縁部２０の凸部２１上に設けられている。細線３２１は、当該細線３２１の幅方向に切断した断面を視た場合に、第１の絶縁部２０から離れるに従い、次第に幅狭となるテーパ形状を有している。この細線３２１において、凸部２１と接触する第１の接触面３２１ｃは、第２の絶縁部４０と接触する第２の接触面３２１ｄに対して相対的に粗くなっている。具体的には、第１の接触面３２１ｃの面粗さＲａは、０．１μｍ〜３μｍであるのに対して、第２の接触面３２１ｄの面粗さＲａは、０．００１μｍ〜１．０μｍとなっている。この面粗さＲａは、ＪＩＳ法（ＪＩＳ  Ｂ０６０１（２０１３年３月２１日改正））に定義される「算術平均粗さＲａ」である。なお、後述する第１及び第２の導体部３０，５０の他の細線３３１ａ，３３１ｂ，３５１ａ，３５１ｂ，５２１ａ，５２１ｂ，５３１ａ，５３１ｂ，５５１ａ，５５１ｂも、図４に示す細線３２１と同様の断面形状を有している。
【００３８】
それぞれの細線３２１ａは、０．５μｍ〜２０μｍの幅を有しており、図２及び図３に示すように、第１の電極パターン３１の延在方向（図中Ｘ方向）に対して交差する方向（以下、「ｎ方向」とも称する。）に延在している。そして、複数の細線３２１ａは、ｎ方向に対して交差する方向（以下、「ｍ方向」とも称する。）に並べられている。それぞれの細線３２１ｂも、上述の細線３２１ａの幅と実質的に同一の幅を有しており、ｍ方向に延在している。そして、複数の細線３２１ｂは、ｎ方向に並べられている。
【００３９】
この複数の細線３２１ａ，３２１ｂが相互に交差することで、第１の本体部３２の全体に菱形状の単位小メッシュ３２２が繰り返し配列されている。また、最外側の単位小メッシュ３２２からは、当該単位小メッシュ３２２を形成している細線３２１ａ，３２１ｂが外側に突出して突出部３２１ｅを形成している。
【００４０】
なお、本実施形態では、Ｘ方向に対するｍ方向の交差角度は４５度であり、ｍ方向に対するｎ方向の交差角度は９０度であるが、特にこれに限定されない。本実施形態におけるＸ方向が本発明における第１の方向の一例に相当し、本実施形態におけるＹ方向が本発明における第２の方向の一例に相当し、本実施形態におけるｍ方向が本発明における第３又は第４の方向の一例に相当し、本実施形態におけるｎ方向が本発明における第４又は第３の方向の一例に相当する。
【００４１】
本実施形態では、複数の単位小メッシュ３２２は、ｍ方向に沿ってピッチＭＡｍで並べられている。また、複数の単位小メッシュ３２２は、ｎ方向に沿ってピッチＭＡｎで並べられている。なお、本実施形態における「ピッチ」は、細線同士の中心間距離を意味する。本実施形態における第１の本体部３２の単位小メッシュ３２２が、本発明における第１の単位メッシュの一例に相当する。
【００４２】
特に限定されないが、ｍ方向のピッチＭＡｍの平均値Ａｖｅ（ＭＡｍ）は、７０μｍ〜５００μｍである（７０μｍ≦Ａｖｅ（ＭＡｍ）≦５００μｍ）。このピッチＭＡｍの標準偏差σＭＡｍは、１５μｍ以下であり（σＭＡｍ≦１５μｍ）、好ましくは５μｍ以下であり（σＭＡｍ≦５μｍ）、より好ましくは１μｍ以下である（σＭＡｍ≦１μｍ）。従って、２つ分のピッチｊＭＡｍの標準偏差σｊＭＡｍも、１５μｍ以下であり（σｊＭＡｍ≦１５μｍ）、好ましくは５μｍ以下であり（σｊＭＡｍ≦５μｍ）、より好ましくは１μｍ以下である（σｊＭＡｍ≦１μｍ）。
【００４３】
また、ｎ方向のピッチＭＡｎの平均値Ａｖｅ（ＭＡｎ）は、ｍ方向のピッチＭＡｍの平均値Ａｖｅ（ＭＡｍ）と実質的に同一である（Ａｖｅ（ＭＡｎ）＝Ａｖｅ（ＭＡｍ））。このピッチＭＡｎの標準偏差σＭＡｎは、上述のピッチＭＡｍと同様に、１５μｍ以下であり（σＭＡｎ≦１５μｍ）、好ましくは５μｍ以下であり（σＭＡｎ≦５μｍ）、より好ましくは１μｍ以下である（σＭＡｎ≦１μｍ）。従って、２つ分のピッチｊＭＡｎの標準偏差σｊＭＡｎも、１５μｍ以下であり（σｊＭＡｎ≦１５μｍ）、好ましくは５μｍ以下であり（σｊＭＡｎ≦５μｍ）、より好ましくは１μｍ以下である（σｊＭＡｎ≦１μｍ）。
【００４４】
なお、上記の標準偏差σＭＡｍ，σＭＡｎを算出するためのピッチＭＡｍ，ＭＡｎは、タッチセンサ１の全面において顕微鏡又はＳＥＭで当該ピッチＭＡｍ，ＭＡｎを観察することで計測する。後述する標準偏差σＣＡｍ，σＣＡｎ，σＤＡｍ，σＤＡｎ，σＭＢｍ，σＭＢｎ，σＣＢｍ，σＣＢｎ，σＤＢｍ，σＤＢｎ，σＤＣｍ，σＤＣｎに関するピッチＣＡｍ，ＣＡｎ，ＤＡｍ，ＤＡｎ，ＭＢｍ，ＭＢｎ，ＣＢｍ，ＣＢｎ，ＤＢｍ，ＤＢｎ，ＤＣｍ，ＤＣｎについても同様である。
【００４５】
第１の連結部３３は、図２に示すように、Ｘ方向において相互に隣り合う第１の本体部３２同士を電気的に接続している。それぞれの第１の連結部３３は、図５に示すように、上述の細線３２１ａの幅と実質的に同一の幅の複数の細線３３１ａ，３３１ｂを有している。なお、第１の連結部３３を構成する細線３３１ａ，３３１ｂの本数は、特に限定されない。
【００４６】
それぞれの細線３３１ａ，３３１ｂは、不規則に折れ曲がる又は湾曲する屈曲部分３３１ｃを有しており、当該第１の連結部３３を構成する全ての細線３３１ａ，３３１ｂの形状が相違している。このため、複数の細線３３１ａ，３３１ｂが相互に交差することで、不規則なランダム形状の単位大メッシュ３３２が第１の連結部３３の全体に繰り返し配列されている。本実施形態における第１の連結部３３の単位大メッシュ３３２が本発明における第３の単位メッシュの一例に相当し、本実施形態における第１の連結部３３の細線３３１ａ，３３１ｂが本発明における第１の細線の一例に相当する。なお、屈曲部分３３１ｃを有さない直線状の細線３３１ａ，３３１ｂを用いて、不規則なランダム形状の単位大メッシュ３３２を有する第１の連結部３３を形成してもよい。
【００４７】
本実施形態では、第１の連結部３３の単位大メッシュ３３２は、ｍ方向に沿ってピッチＣＡｍで並べられていると共に、ｎ方向に沿ってピッチＣＡｎで並べられている。
【００４８】
ここで、第１の連結部３３の単位大メッシュ３３２のピッチＣＡｍ，ＣＡｎは、次の要領で算出される。すなわち、図６に示すように、ｍ方向のピッチＣＡｍに関しては、単位大メッシュ３３２の重心ＣＧを通過するｍ方向の仮想直線ＣＬｍと、当該単位大メッシュ３３２の辺３３２ａ，３３２ｃとの交点ＣＰａ，ＣＰｃを求め、これらの交点ＣＰａ，ＣＰｃ間の間隔（細線３３１ａの中心間距離）をｍ方向のピッチＣＡｍとする。同様に、ｎ方向のピッチＣＡｎに関しても、単位大メッシュ３３２の重心ＣＧを通過するｎ方向の仮想直線ＣＬｎと、当該単位大メッシュ３３２の辺３３２ｂ，３３２ｄとの交点ＣＰｂ，ＣＰｄを求め、これらの交点ＣＰｂ，ＣＰｄ間の間隔（３３１ｂの中心間距離）をｎ方向のピッチＣＡｎとする。
【００４９】
本実施形態では、ｍ方向のピッチＣＡｍの平均値Ａｖｅ（ＣＡｍ）は、第１の本体部３２のピッチＭＡｍの平均値Ａｖｅ（ＭＡｍ）の２倍である（Ａｖｅ（ＣＡｍ）＝２×Ａｖｅ（ＭＡｍ））。このピッチＣＡｍの標準偏差σＣＡｍは、２０μｍ〜１００μｍである（２０μｍ≦σＣＡｍ≦１００μｍ）。
【００５０】
また、ｎ方向のピッチＣＡｎの平均値Ａｖｅ（ＣＡｎ）も、第１の本体部３２のピッチＭＡｎの平均値Ａｖｅ（ＭＡｎ）の２倍である（Ａｖｅ（ＣＡｎ）＝２×Ａｖｅ（ＭＡｎ））。このピッチＣＡｎの標準偏差σＣＡｎは、２０μｍ〜１００μｍである（２０μｍ≦σＣＡｎ≦１００μｍ）。
【００５１】
このように、本実施形態では、単位大メッシュ３３２のピッチＣＡｍ，ＣＡｎのばらつきσＣＡｍ，σＣＡｎが、２つ分の単位小メッシュ３２２のピッチｊＭＡｍ，ｊＭＡｎのばらつきσｊＭＡｍ，σｊＭＡｎよりも大きくなっている（σＣＡｍ＞σｊＭＡｍ，σＣＡｎ＞σｊＭＡｎ）。すなわち、単位大メッシュ３３２のピッチＣＡｍ，ＣＡｎがばらついているのに対し、２つ分の単位小メッシュ３２２のピッチｊＭＡｍ，ｊＭＡｎが実質的に一定となっている。
【００５２】
図１に示すように、それぞれの第１の電極パターン３１の長手方向一端には第１の引出配線３４の一端が接続されている。それぞれの第１の引出配線３４の他端は、配線体１０の縁部まで延びている。この第１の引出配線３４の他端が、外部回路と電気的に接続される。
【００５３】
図１及び図２に示すように、複数の第１のダミーパターン３５は、第１の電極パターン３１とは電気的に絶縁されており、第１の本体部３２の周囲に設けられている。具体的には、第１の導体部３０は、複数の第１のダミーパターン群３５０を含んでおり、１つの第１のダミーパターン群３５０が第１の本体部３２の１つの辺に対向するように配置されている。それぞれの第１のダミーパターン群３５０は、ｍ方向又はｎ方向に沿って配列された３つの第１のダミーパターン３５から構成されている。それぞれの第１のダミーパターン３５は、第１の本体部３２の細線３２１の突出部３２１ｅに対応するように配置されている。後述するように、この第１のダミーパターン３５は、平面視において、第１の導体部３０の第１の本体部３２と第２の導体部５０の第２の本体部５２との間に介在している。
【００５４】
それぞれの第１のダミーパターン３５は、図７及び図８に示すように、相互に交差する一対のダミー細線３５１ａ，３５１ｂからなる交差形状を有している。ダミー細線３５１ａ，３５１ｂは、上述の細線３２１ａの幅と実質的に同一の幅を有しており、一方のダミー細線３５１ａがｎ方向に沿って直線状に延在しているのに対し、他方のダミー細線３５１ｂがｍ方向に沿って直線状に延在している。本実施形態では、複数の第１のダミーパターン３５は、相互に実質的に同一の形状を有している。本実施形態における第１のダミーパターン３５が本発明における第１のダミーパターンの一例に相当し、本実施形態におけるダミー細線３５１ａが本発明における第１又は第２のダミー細線の一例に相当し、本実施形態におけるダミー細線３５１ｂが本発明における第２又は第１のダミー細線の一例に相当する。
【００５５】
図７に示すように、ｍ方向に沿って配列された第１のダミーパターン３５のダミー細線３５１ａは、ピッチＤＡｍで並べられている。また、ｍ方向に沿って配列された第１のダミーパターン３５のダミー細線３５１ｂも、ピッチＤＡｍで並べられている。なお、このダミー細線３５１ｂのピッチＤＡｍは、相互に隣り合うダミー細線３５１ｂの重心ＧＡｍ間の距離であり、本実施形態では、ダミー細線３５１ａの重心とダミー細線３５１ｂの重心は一致している。そして、ｍ方向に沿って配列されたダミー細線３５１ａは、ｎ方向においてばらついており、これらの重心ＧＡｍが、ｍ方向に沿った同一の仮想直線ＶＬｍ上に位置していない。同様に、ｍ方向に沿って配列されたダミー細線３５１ｂも，ｎ方向においてばらついており、これらの重心ＧＡｍが同一の仮想直線ＶＬｍ上に位置していない。
【００５６】
ｍ方向のピッチＤＡｍの平均値Ａｖｅ（ＤＡｍ）は、第１の本体部３２のピッチＭＡｍの平均値Ａｖｅ（ＭＡｍ）の２倍である（Ａｖｅ（ＤＡｍ）＝２×Ａｖｅ（ＭＡｍ））。このピッチＤＡｍの標準偏差σＤＡｍは、２０μｍ〜１００μｍである（２０μｍ≦σＤＡｍ≦１００μｍ）。
【００５７】
図８に示すように、ｎ方向に沿って配列された第１のダミーパターン３５のダミー細線３５１ｂは、ピッチＤＡｎで並べられている。また、ｎ方向に沿って配列された第１のダミーパターン３５のダミー細線３５１ａも、ピッチＤＡｎで並べられている。なお、このダミー細線３５１ａのピッチＤＡｎは、相互に隣り合うダミー細線３５１ａの重心ＧＡｎ間の距離であり、本実施形態では、ダミー細線３５１ｂの重心とダミー細線３５１ａの重心は一致している。そして、ｎ方向に沿って配列された複数のダミー細線３５１ｂは、ｍ方向においてばらついており、これらの重心ＧＡｎが、ｎ方向に沿った同一の仮想直線ＶＬｎ上に位置していない。同様に、ｎ方向に沿って配列された複数のダミー細線３５１ａも、ｍ方向においてばらついており、これらの重心ＧＡｎが同一の仮想直線ＶＬｎ上に位置していない。
【００５８】
ｎ方向のピッチＤＡｎの平均値Ａｖｅ（ＤＡｎ）も、第１の本体部３２のピッチＭＡｎの平均値Ａｖｅ（ＭＡｎ）の２倍である（Ａｖｅ（ＤＡｎ）＝２×Ａｖｅ（ＭＡｎ））。このピッチＤＡｎの標準偏差σＤＡｎは、２０μｍ〜１００μｍである（２０μｍ≦σＤＡｎ≦１００μｍ）。
【００５９】
本実施形態では、ｍ方向に沿って配列された第１のダミーパターン３５のダミー細線３５１ａ，３５１ｂのピッチＤＡｍのばらつきσＤＡｍが、後述する第２の本体部５２における２つ分の単位小メッシュ５２２のピッチｊＭＢｍのばらつきσｊＭＢｍよりも大きくなっている（σＤＡｍ＞σｊＭＢｍ）。すなわち、ｍ方向に沿って配列された第１のダミーパターン３５のダミー細線３５１ａ，３５１ｂのピッチＤＡｍがばらついているのに対し、２つ分の単位小メッシュ５２２のピッチｊＭＢｍが実質的に一定となっている。
【００６０】
同様に、ｎ方向に沿って配列されたた第１のダミーパターン３５のダミー細線３５１ａ，３５１ｂのピッチＤＡｎのばらつきσＤＡｎが、後述する第２の本体部５２における２つ分の単位小メッシュ５２２のピッチｊＭＢｎのばらつきσｊＭＢｎよりも大きくなっている（σＤＡｎ＞σｊＭＢｎ）。すなわち、ｎ方向に沿って配列された第１のダミーパターン３５のダミー細線３５１ａ，３５１ｂのピッチＤＡｎがばらついているのに対し、２つ分の単位小メッシュ５２２のピッチｊＭＢｎが実質的に一定となっている。
【００６１】
図１に示すように、第２の絶縁部４０は、矩形状の外形を有し、透明性を有する樹脂材料で構成されている。この透明性を有する樹脂材料としては、例えば、上記の第１の絶縁部２０を構成する樹脂材料と同様の材料を用いることができる。
【００６２】
第２の絶縁部４０は、第１の導体部３０を覆うように第１の絶縁部２０上に設けられている。この第２の絶縁部４０には、切欠部４１が形成されている。この切欠部４１からは、第１の引出配線パターン３４の他端が露出している。
【００６３】
図９は本実施形態における第２の電極パターンを示す平面図、図１０は本実施形態における第２の本体部を示す平面図、図１１は本実施形態における第２の連結部を示す平面図、図１２は図９のXII部の拡大図、図１３は図９のXIII部の拡大図である。なお、図９では、第２の連結部５３の単位大メッシュ５３２のランダム形状、及び、第２のダミーパターン５５のピッチのばらつきを加味しておらず、後述する図１４についても同様である。
【００６４】
第２の導体部５０は、図１に示すように、第２の絶縁部４０上に設けられており、第２の絶縁部４０によって保持されている。この第２の導体部５０は、導電性ペーストを印刷して硬化させることで形成されている。導電性ペーストの具体例としては、第１の導体部３０を構成する導電ペーストと同様のものを例示することができる。
【００６５】
この第２の導体部５０は、図１及び図９に示すように、複数の第２の電極パターン５１と、複数の第２の引出配線パターン５４と、複数の第２のダミーパターン５５と、を含んでいる。第２の電極パターン５１と、第２の引出配線パターン５４と、第２のダミーパターン５５とは、実質的に同一の平面上に設けられている。なお、第２の電極パターン５１の数は、特に限定されず、任意に設定することができ、第２の引出配線パターン５４の数も、特に限定されず、第２の電極パターン５１の数に応じて設定される。また、第２のダミーパターン５５の数も、特に限定されない。
【００６６】
それぞれの第２の電極パターン５１は、図中Ｙ方向に延在している。そして、複数の第２の電極パターン５１は、図中Ｘ方向に並べられている。それぞれの第２の電極パターン５１は、複数の第２の本体部５２と、複数の第２の連結部５３と、を含んでいる。
【００６７】
第２の本体部５２は、略菱形形状を有している。複数の第２の本体部５２は、第２の電極パターン３２の延在方向（図中Ｙ方向）に並べられている。相互に隣り合う第２の本体部５２同士は、第２の連結部５３を介して電気的に接続されている。第２の本体部５２は、図９及び図１０に示すように、複数の直線状の細線５２１ａ，５２１ｂを有している。なお、第２の本体部５２を構成する細線５２１ａ，５２１ｂの本数は特に限定されない。本実施形態において、細線５２１ａ，５２１ｂを細線５２１と総称する。
【００６８】
それぞれの細線５２１ａは、上述の第１の本体部３２の細線３２１ａの幅と実質的に同一の幅を有しており、図９及び図１０に示すように、ｎ方向に延在している。そして、複数の細線５２１ａは、ｍ方向に並べられている。それぞれの細線５２１ｂも、上述の細線５２１ａの幅と実質的に同一の幅を有しており、ｍ方向に延在している。そして、複数の細線５２１ｂは、ｎ方向に並べられている。
【００６９】
この複数の細線５２１ａ，５２１ｂが相互に交差することで、第２の本体部５２の全体に菱形状の単位小メッシュ５２２が繰り返し配列されている。また、最外側の単位小メッシュ５２２からは、当該単位小メッシュ５２２を形成している細線５２１ａ，５２１ｂが外側に突出して突出部５２１ｅを形成している。
【００７０】
本実施形態では、複数の単位小メッシュ５２２は、ｍ方向に沿ってピッチＭＢｍで並べられている。また、複数の単位小メッシュ５２２は、ｎ方向に沿ってピッチＭＢｎで並べられている。本実施形態における第２の本体部５２の単位小メッシュ５２２が、本発明における第２の単位メッシュの一例に相当する。
【００７１】
ｍ方向のピッチＭＢｍの平均値Ａｖｅ（ＭＢｍ）は、第１の本体部３２のピッチＭＡｍの平均値Ａｖｅ（ＭＡｍ）と実質的に同一である（Ａｖｅ（ＭＢｍ）＝Ａｖｅ（ＭＡｍ））。このピッチＭＢｍの標準偏差σＭＢｍは、１５μｍ以下であり（σＭＢｍ≦１５μｍ）、好ましくは５μｍ以下であり（σＭＢｍ≦５μｍ）、より好ましくは１μｍ以下である（σＭＢｍ≦１μｍ）。従って、２つ分のピッチｋＭＢｍの標準偏差σｋＭＢｍも、１５μｍ以下であり（σｋＭＢｍ≦１５μｍ）、好ましくは５μｍ以下であり（σｊＭＢｍ≦５μｍ）、より好ましくは１μｍ以下である（σｊＭＢｍ≦１μｍ）。
【００７２】
また、ｎ方向のピッチＭＢｎの平均値Ａｖｅ（ＭＢｎ）は、第１の本体部３２のピッチＭＡｎの平均値Ａｖｅ（ＭＡｎ）と実質的に同一である（Ａｖｅ（ＭＢｎ）＝Ａｖｅ（ＭＡｎ））。このピッチＭＢｎの標準偏差σＭＢｎは、上述のピッチＭＢｍと同様に、１５μｍ以下であり（σＭＢｎ≦１５μｍ）、好ましくは５μｍ以下であり（σＭＢｎ≦５μｍ）、より好ましくは１μｍ以下である（σＭＢｎ≦１μｍ）。従って、２つ分のピッチｋＭＢｎの標準偏差σｋＭＢｎも、１５μｍ以下であり（σｋＭＢｎ≦１５μｍ）、好ましくは５μｍ以下であり（σｊＭＢｎ≦５μｍ）、より好ましくは１μｍ以下である（σｊＭＢｎ≦１μｍ）。
【００７３】
第２の連結部５３は、図９に示すように、Ｙ方向において相互に隣り合う第２の本体部５２同士を電気的に接続している。それぞれの第２の連結部５３は、図１１に示すように、上述の細線５２１ａの幅と実質的に同一の幅の複数の細線５３１ａ，５３１ｂを有している。なお、第２の連結部５３を構成する細線５３１ａ，５３１ｂの本数は、特に限定されない。
【００７４】
それぞれの細線５３１ａ，５３１ｂは、不規則に折れ曲がる又は湾曲する屈曲部分５３１ｃを有しており、当該第２の連結部５３を構成する全ての細線５３１ａ，５３１ｂの形状が相違している。このため、複数の細線５３１ａ，５３１ｂが相互に交差することで、不規則なランダム形状の単位大メッシュ５３２が第２の連結部５３の全体に繰り返し配列されている。本実施形態における第２の連結部５３の単位大メッシュ５３２が本発明における第４の単位メッシュの一例に相当し、本実施形態における第２の連結部５３の細線５３１ａ，５３１ｂが本発明における第２の細線の一例に相当する。なお、屈曲部分５３１ｃを有さない直線状の細線５３１ａ，５３１ｂを用いて、不規則なランダム形状の単位大メッシュ５３２を有する第２の連結部５３を形成してもよい。
【００７５】
第２の連結部５３の単位メッシュ５３２は、ｍ方向に沿ってピッチＣＢｍで並べられていると共に、ｎ方向に沿ってピッチＣＢｎで並べられている。なお、第２の連結部５３の単位メッシュ５３２のピッチＣＢｍ，ＣＢｎは、図６を参照して説明した、第１の連結部３３の単位メッシュ３３２のピッチＣＡｍ，ＣＡｎと同様の要領で算出される。
【００７６】
本実施形態では、ｍ方向のピッチＣＢｍの平均値Ａｖｅ（ＣＢｍ）は、第２の本体部５２のピッチＭＢｍの平均値Ａｖｅ（ＭＢｍ）の２倍である（Ａｖｅ（ＣＢｍ）＝２×Ａｖｅ（ＭＢｍ））。このピッチＣＢｍの標準偏差σＣＢｍは、２０μｍ〜１００μｍである（２０μｍ≦σＣＢｍ≦１００μｍ）。
【００７７】
また、ｎ方向のピッチＣＢｎの平均値Ａｖｅ（ＣＢｎ）も、第２の本体部５２のピッチＭＢｎの平均値Ａｖｅ（ＭＢｎ）の２倍である（Ａｖｅ（ＣＢｎ）＝２×Ａｖｅ（ＭＢｎ））。このピッチＣＢｎの標準偏差σＣＢｎは、２０μｍ〜１００μｍである（２０μｍ≦σＣＢｎ≦１００μｍ）。
【００７８】
このように、本実施形態では、単位大メッシュ５３２のピッチＣＢｍ，ＣＢｎのばらつきσＣＢｍ，σＣＢｎが、２つ分の単位小メッシュ５２２のピッチｋＭＢｍ，ｋＭＢｎのばらつきσｋＭＡｍ，σｋＭＡｎよりも大きくなっている（σＣＢｍ＞σｋＭＢｍ，σＣＢｎ＞σｋＭＢｎ）。すなわち、単位大メッシュ５３２のピッチＣＢｍ，ＣＢｎがばらついているのに対し、２つ分の単位小メッシュ５２２のピッチｋＭＢｍ，ｋＭＢｎが実質的に一定となっている。
【００７９】
図１に示すように、それぞれの第２の電極パターン５１の長手方向一端には第２の引出配線５４の一端が接続されている。それぞれの第２の引出配線５４の他端は、配線体１０の縁部まで延びている。この第２の引出配線５４の他端が、外部回路と電気的に接続される。
【００８０】
図１及び図９に示すように、複数の第２のダミーパターン５５は、第２の電極パターン５１とは電気的に絶縁されており、第２の本体部５２の周囲に設けられている。具体的には、第２の導体部５０は、複数の第２のダミーパターン群５５０を含んでおり、１つの第２のダミーパターン群５５０が第２の本体部５２の１つの辺に対向するように配置されている。それぞれの第２のダミーパターン群５５０は、ｍ方向又はｎ方向に沿って配列された４つの第２のダミーパターン５５から構成されている。それぞれの第２のダミーパターン５５は、第２の本体部５２の細線５２１の突出部５２１ｅに対応するように配置されている。後述するように、この第２のダミーパターン５５は、平面視において、第１の導体部３０の第１の本体部３２と第２の導体部５０の第２の本体部５２との間に介在している。
【００８１】
それぞれの第２のダミーパターン５５は、図１２及び図１３に示すように、相互に交差する一対のダミー細線５５１ａ，５５１ｂからなる交差形状を有しており、上述の第１のダミーダミーパターンと実質的に同一の形状を有している。ダミー細線５５１ａ，５５１ｂは、上述の細線５２１ａの幅と実質的に同一の幅を有しており、一方のダミー細線５５１ａがｎ方向に沿って直線状に延在しているのに対し、他方のダミー細線５５１ｂがｍ方向に沿って直線状に延在している。本実施形態では、複数の第２のダミーパターン５５は、相互に実質的に同一の形状を有している。本実施形態における第２のダミーパターン５５が本発明における第２のダミーパターンの一例に相当し、本実施形態におけるダミー細線５５１ａが本発明における第１又は第２のダミー細線の一例に相当し、本実施形態におけるダミー細線５５１ｂが本発明における第２又は第１のダミー細線の一例に相当する。
【００８２】
図１２に示すように、ｍ方向に沿って配列された第２のダミーパターン５５のダミー細線５５１ａは、ピッチＤＢｍで並べられている。また、ｍ方向に沿って配列された第２のダミーパターン５５のダミー細線５５１ｂも、ピッチＤＢｍで並べられている。なお、このダミー細線５５１ｂのピッチＤＢｍは、相互に隣り合うダミー細線５５１ｂの重心ＧＢｍ間の距離であり、本実施形態では、ダミー細線５５１ａの重心とダミー細線５５１ｂの重心は一致している。そして、ｍ方向に沿って配列されたダミー細線５５１ａはｎ方向においてばらついており、これらの重心ＧＢｍが、ｍ方向に沿った同一の仮想直線ＶＬｍ上に位置していない。同様に、ｍ方向に沿って配列されたダミー細線５５１ｂもｎ方向においてばらついている。これらの重心ＧＢｍが同一の仮想直線ＶＬｍ上に位置していない。
【００８３】
ｍ方向のピッチＤＢｍの平均値Ａｖｅ（ＤＢｍ）は、第２の本体部５２のピッチＭＢｍの平均値Ａｖｅ（ＭＢｍ）の２倍である（Ａｖｅ（ＤＢｍ）＝２×Ａｖｅ（ＭＢｍ））。このピッチＤＢｍの標準偏差σＤＢｍは、２０μｍ〜１００μｍである（２０μｍ≦σＤＢｍ≦１００μｍ）。
【００８４】
また、図１３に示すように、ｎ方向に沿って配列された第２のダミーパターン５５のダミー細線５５１ｂは、ピッチＤＢｎで並べられている。また、ｎ方向に沿って配列された第２のダミーパターン５５のダミー細線５５１ａも、ピッチＤＢｎで並べられている。なお、このダミー細線５５１ａのピッチＤＢｎは、相互に隣り合うダミー細線５５１ａの重心ＧＢｎ間の距離であり、本実施形態では、ダミー細線５５１ｂの重心とダミー細線５５１ａの重心は一致している。そして、ｎ方向に沿って配列されたダミー細線５５１ｂは、ｍ方向においてばらついており、これらの重心ＧＢｎが、ｎ方向に沿った同一の仮想直線ＶＬｎ上に位置していない。同様に、ｎ方向に沿って配列されたダミー細線５５１ａも、ｍ方向においてばらついており、これらの重心ＧＢｎが同一の仮想直線ＶＬｎ上に位置していない。
【００８５】
ｎ方向のピッチＤＢｎの平均値Ａｖｅ（ＤＢｎ）も、第２の本体部５２のピッチＭＢｎの平均値Ａｖｅ（ＭＢｎ）の２倍である（Ａｖｅ（ＤＢｎ）＝２×Ａｖｅ（ＭＢｎ））。このピッチＤＢｎの標準偏差σＤＢｎは、２０μｍ〜１００μｍである（２０μｍ≦σＤＢｎ≦１００μｍ）。
【００８６】
本実施形態では、ｍ方向に沿って配列されたダミーパターン５５のダミー細線５５１ａ，５５１ｂのピッチＤＢｍのばらつきσＤＢｍが、上述の第１の本体部３２における２つ分の単位小メッシュ３２２のピッチｋＭＡｍのばらつきσｋＭＡｍよりも大きくなっている（σＤＢｍ＞σｋＭＡｍ）。すなわち、ｍ方向に沿って配列されたダミーパターン５５のダミー細線５５１ａ，５５１ｂのピッチＤＢｍがばらついているのに対し、第１の本体部３１における２つ分の単位小メッシュ３２２のピッチｋＭＡｍが実質的に一定となっている。
【００８７】
また、本実施形態では、ｎ方向に沿って配列された第２のダミーパターン５５のダミー細線５５１ａ，５５１ｂのピッチＤＢｎのばらつきσＤＢｎが、２つ分の単位小メッシュ３２２のピッチｋＭＡｎのばらつきσｋＭＡｎよりも大きくなっている（σＤＢｎ＞σｋＭＡｎ）。すなわち、ｎ方向に沿って配列された第２のダミーパターン５５のダミー細線５５１ａ，５５１ｂのピッチＤＢｎがばらついているのに対し、２つ分の単位小メッシュ３２２のピッチｋＭＡｎが実質的に一定となっている。
【００８８】
図１４は本実施形態における組み合わせパターンを示す平面図、図１５は本実施形態における第１及び第２の本体部の変形例を示す拡大平面図、図１６は図１４のXVI部の拡大図、図１７図１４のXVII部の拡大図である。なお、図１５において、第１の導体部３０を実線で示し、第２の導体部５０を破線にて示す。また、図１６及び図１７には、突出部３２１ｅ，５２１ｅを含む細線３２１，５２１は図示していない。
【００８９】
以上に説明した第１の導体部３０と第２の導体部５０は、第１の連結部３３と第２の連結部５３が相互に交差するように、第２の絶縁部４０を介して重ねられている。これにより、第１の電極パターン３１、第１のダミーパターン３５、第２の電極パターン５１、及び、第２のダミーパターン５５によって、図１４に示すような組み合わせパターン１１が形成されている。この組み合わせパターン１１は、単位小メッシュ３２２，５２２，１２１，１３１を敷き詰めた形状を有している。
【００９０】
具体的には、図１４に示すように、先ず、第１の電極パターン３１の第１の本体部３２に単位小メッシュ３２２が敷きつけられている。同様に、第２の電極パターン４１の第２の本体部５２に単位小メッシュ５２２が敷き詰められている。
【００９１】
ここで、ｍ方向又はｎ方向に沿った第１の本体部３２と第２の本体部５２との間の間隔ｗＭは、単位小メッシュ３２２の１つ分のピッチＭＡｍであることが好ましい（ｗＭ＝ＭＡｍ）。なお、単位小メッシュ３２２の２つ分のピッチＭＡｍであってもよいし（ｗＭ＝２×ＭＡｍ）、単位小メッシュ３２２の３つ分のピッチＭＡｍであってもよい（ｗＭ＝３×ＭＡｍ）。特に限定されないが、幅ｗＭは、２００μｍ以上であることが好ましく（ｗＭ≧２００μｍ）、３００μｍ以上であってもよい（ｗＭ≧３００μｍ）。
【００９２】
なお、図１５に示す変形例の場合には、上記の間隔ｗＭと比較されるピッチは、小さな単位メッシュ１５１のピッチである。すなわち、この変形例では、第１の本体部３２の単位小メッシュ３２２内に第２の導体部５０が有する十字形状のダミーパターン５６が存在すると共に、第２の本体部５２の単位小メッシュ５２２内に第１の導体部３０が有する十字形状のダミーパターン３６が存在することで、単位小メッシュ３２２，５２２よりも小さな単位メッシュ１５１が形成されている。因みに、この変形例では、第１及び第２のダミーパターン３５，５５は、第１及び第２の本体部３２，５２及びダミーパターン５６，３６により形成された単位メッシュ１５１を維持するように、第１の本体部３２の突出部３２１ｅの間に介在していると共に、第２の本体部５２の突出部５２１ｅの間に介在している。
【００９３】
図１４に戻り、平面視において、第１の導体部３０の第１の連結部３３と第２の導体部５０の第２の連結部５３とが半ピッチ分ずれて重なっている。このため、第１の連結部３３の単位大メッシュ３３２と第２の連結部５３の単位大メッシュ５３２によって、単位小メッシュ１２１が繰り返し配列された小メッシュパターン１２が形成されている。すなわち、第１及び第２の連結部３３，５３には単位小メッシュ１２１が敷き詰められている。なお、この単位小メッシュ１２１の面積の平均値は、単位大メッシュ３３２，５３２の面積の平均値に対して１／４程度である。本実施形態における単位小メッシュ１２１が、本発明における第５の単位メッシュの一例に相当する。
【００９４】
さらに、平面視において、第１の本体部３２と第２の本体部５２との間に、第１及び第２のダミーパターン３５，５５が設けられている。第１及び第２のダミーパターン３５，５５は、ｍ方向又はｎ方向に沿って交互に配列されており、第１のダミーパターン群３５０と第２のダミーパターン群５５０によって、組み合わせダミーパターン１４が形成されている。
【００９５】
ここで、上述のように、第１及び第２のダミーパターン３５，５５は、第１及び第２の本体部３５，５５の突出部３２１ｅ，５２１ｅに対応するように配置されている。このため、組み合わせダミーパターン１４と、突出部３２１ｅ（５２１ｅ）と、突出部３２１ｅ（５２１ｅ）同士をつなぐ間の細線３２１（５２１）とによって、単位小メッシュ１３１が繰り返し配列された小メッシュパターン１３が形成されている。すなわち、第１の本体部３２と第２の本体部５２との間には単位小メッシュ１３１が敷き詰められている。
【００９６】
この組み合わせダミーパターン１４を構成する単位パターン１４１（第１及び第２のダミーパターン３５，５５）は、ｍ方向又はｎ方向に沿って配列されている。本実施形態における単位パターン１４１が、本発明におけるダミーパターンの一例に相当する。
【００９７】
図１６に示すように、ｍ方向に沿って配列された単位パターン１４１のダミー細線３５１ａ，５５１ａは、ピッチＤＣｍで並べられている。また、ｍ方向に沿って配列され単位パターン１４１のダミー細線３５１ｂ，５５１ｂも、ピッチＤＣｍで並べられている。なお、このダミー細線３５１ｂ，５５１ｂのピッチＤＣｍは、相互に隣り合うダミー細線３５１ｂの重心ＧＡｍとダミー細線５５１ｂの重心ＧＢｍとの間の距離である。そして、ｍ方向に沿って配列されたダミー細線３５１ａ，５５１ａは、ｎ方向においてばらついており、これらの重心ＧＡｍ，ＧＢｍが、ｍ方向に沿った同一の仮想直線ＶＬｍ上に位置していない。同様に、ｍ方向に沿って配列されたダミー細線３５１ｂ，５５１ｂも，ｎ方向においてばらついており、これらの重心ＧＡｍ，ＧＢｍが同一の仮想直線ＶＬｍ上に位置していない。
【００９８】
ｍ方向のピッチＤＣｍの平均値Ａｖｅ（ＤＣｍ）は、第１の本体部３２のピッチＭＡｍの平均値Ａｖｅ（ＭＡｍ）と実質的に同一であると共に（Ａｖｅ（ＤＣｍ）＝Ａｖｅ（ＭＡｍ））、第２の本体部５２のピッチＭＢｍの平均値Ａｖｅ（ＭＢｍ）とも実質的に同一である（Ａｖｅ（ＤＣｍ）＝Ａｖｅ（ＭＢｍ））。そして、このピッチＤＣｍの標準偏差σＤＣｍは、２０μｍ〜１００μｍである（２０μｍ≦σＤＣｍ≦１００μｍ）。
【００９９】
また、図１７に示すように、ｎ方向に沿って配列された単位パターン１４１のダミー細線３５１ｂ，５５１ｂは、ピッチＤＣｎで並べられている。また、ｎ方向に沿って配列され単位パターン１４１のダミー細線３５１ａ，５５１ａも、ピッチＤＣｎで並べられている。なお、このダミー細線３５１ａ，５５１ａのピッチＤＣｎは、相互に隣り合うダミー細線３５１ａの重心ＧＡｎとダミー細線５５１ａの重心ＧＢｎとの間の距離である。そして、ｎ方向に沿って配列されたダミー細線３５１ｂ，５５１ｂは、ｍ方向においてばらついており、これらの重心ＧＡｎ，ＧＢｎが、ｎ方向に沿った同一の仮想直線ＶＬｎ上に位置していない。同様に、ｎ方向に沿って配列されたダミー細線３５１ａ，５５１ａも，ｍ方向においてばらついており、これらの重心ＧＡｎ，ＧＢｎが同一の仮想直線ＶＬｎ上に位置していない。
【０１００】
ｎ方向のピッチＤＣｎの平均値Ａｖｅ（ＤＣｎ）も、第１の本体部３２のピッチＭＡｎの平均値Ａｖｅ（ＭＡｎ）と実質的に同一であると共に（Ａｖｅ（ＤＣｎ）＝Ａｖｅ（ＭＡｎ））、第２の本体部５２のピッチＭＢｎの平均値Ａｖｅ（ＭＢｎ）とも実質的に同一である（Ａｖｅ（ＤＣｎ）＝Ａｖｅ（ＭＢｎ））。そして、このピッチＤＣｎの標準偏差σＤＣｎは、２０μｍ〜１００μｍである（２０μｍ≦σＤＣｎ≦１００μｍ）。
【０１０１】
このように、本実施形態では、ｍ方向に沿って配列された単位パターン１４１のダミー細線３５１ａ，５５１ａ，３５１ｂ，５５１ｂのピッチＤＣｍのばらつきσＤＣｍが、単位小メッシュ３２２，５２２のピッチＭＡｍ，ＭＢｍのばらつきσＭＡｍ，σＭＢｍよりも大きくなっている（σＤＣｍ＞σＭＡｍ，σＤＣｍ＞σＭＢｍ）。すなわち、ｍ方向に沿って配列された単位パターン１４１のダミー細線３５１ａ，５５１ａ，３５１ｂ，５５１ｂのピッチＤＣｍがばらついているのに対し、単位小メッシュ３２２，５２２のピッチＭＡｍ，ＭＢｍが実質的に一定となっている。
【０１０２】
同様に、本実施形態では、ｎ方向に沿って配列された単位パターン１４１のダミー細線３５１ａ，５５１ａ，３５１ｂ，５５１ｂのピッチＤＣｎのばらつきσＤＣｎが、単位小メッシュ３２２，５２２のピッチＭＡｎ，ＭＢｎのばらつきσＭＡｎ，σＭＢｎよりも大きくなっている（σＤＣｎ＞σＭＡｎ，σＤＣｎ＞σＭＢｎ）。すなわち、ｎ方向に沿って配列された単位パターン１４１のダミー細線３５１ａ，５５１ａ，３５１ｂ，５５１ｂのピッチＤＣｎがばらついているのに対し、単位小メッシュ３２２，５２２のピッチＭＡｎ，ＭＢｎが実質的に一定となっている。
【０１０３】
図１に戻り、第３の絶縁部６０は、矩形状の外形を有し、透明性を有する樹脂材料で構成されている。この透明性を有する樹脂材料としては、例えば、上記の第１の絶縁部２０を構成する樹脂材料と同様の樹脂材料を用いることができる。
【０１０４】
第３の絶縁部６０は、第２の導体部５０を覆うように第２の絶縁部４０上に設けられている。この第３の絶縁部６０には、切欠部６１が形成されている。この切欠部６１からは、第２の引出配線パターン５４の他端が露出している。また、この切欠部６１は上述の第２の絶縁部４０の切欠部４１と重なっており、当該切欠部９１から第１の引出配線パターン３４の他端も露出している。
【０１０５】
カバー部材７０は、第３の絶縁部６０を介して配線体１０に貼り付けられている。カバー部材７０は、図１に示すように、可視光線を透過することが可能な透明部７１と、可視光線を遮蔽する遮蔽部７２とを備えている。透明部７１は、矩形状に形成され、遮蔽部７２は、透明部７１の周囲に矩形枠状に形成されている。なお、このカバー部材７０は、第３の絶縁層６０側の面に、特に図示しない接着層を有している。
【０１０６】
カバー部材７０を構成する透明な材料としては、上述の支持体５を構成する材料と同様のものを用いることができる。また、遮蔽部７２は、カバー部材７０の裏面の外周部に、例えば、黒色のインクを塗布することにより形成されている。本実施形態では、図１に示すように、このカバー部材７０に外部導体Ｆ（指Ｆ）が接触する。
【０１０７】
このカバー部材７０が配線体１０を支持できる程度の剛性を有していてもよい。この場合には、カバー部材７０が本発明における支持体の一例に相当する。また、この場合に、上述の支持体５を省略してもよい。
【０１０８】
以上のように、本実施形態では、ｍ方向に沿って配列された単位パターン１４１のダミー細線３５１ａ，５５１ａのピッチＤＣｍのばらつきσＤＣｍが、単位小メッシュ３２２，５２２のピッチＭＡｍ，ＭＢｍのばらつきσＭＡｍ，σＭＢｍよりも大きくなっている（σＤＣｍ＞σＭＡｍ，σＤＣｍ＞σＭＢｍ）。同様に、ｎ方向に沿って配列された単位パターン１４１のダミー細線３５１ｂ，５５１ｂのピッチＤＣｎのばらつきσＤＣｎが、単位小メッシュ３２２，５２２のピッチＭＡｎ，ＭＢｎのばらつきσＭＡｎ，σＭＢｎよりも大きくなっている（σＤＣｎ＞σＭＡｎ，σＤＣｎ＞σＭＢｎ）。
【０１０９】
このため、本実施形態では、単位パターン１４１と第１及び第２の本体部３２，５２とによって濃淡差が発生しても、当該濃淡差がランダムになる。従って、アライメントズレ（第１及び第２の本体部３２，５２に対する単位パターン１４１の相対的な位置ズレ）が発生しても、タッチセンサ１の視認性の悪化の抑制を図ることができる。
【０１１０】
また、本実施形態では、単位パターン１４１のダミー細線３５１ａ，３５１ｂ，５５１ａ，５５１ｂのピッチＤＣｍ，ＤＣｎのばらつきを大きくすることで濃淡差をランダムにするため、第１及び第２の本体部３２，５２のピッチＭＡｍ，ＭＡｎ，ＭＢｍ，ＭＢｎを過度にばらつかせる必要がないので、設計に起因した電気特性のばらつきを抑制することができる。
【０１１１】
さらに、本実施形態では、単位パターン１４１と第１及び第２の本体部３２，５２とによって濃淡差が発生したとしても、当該濃淡差がランダムになるため、第１の本体部３２と第２の本体部５２の間隔ｗＭを広げた設計が可能となる。間隔ｗＭを広げることで、第１の本体部３２と第２の本体部５２の間の静電容量を小さくすることができ、タッチセンサ１の感度向上を図ることができる。
【０１１２】
また、本実施形態では、ｍ方向に沿って配列された単位パターン１４１のダミー細線３５１ｂ，５５１ｂのピッチＤＣｍのばらつきσＤＣｍが、単位小メッシュ３２２，５２２のピッチＭＡｍ，ＭＢｍのばらつきσＭＡｍ，σＭＢｍよりも大きくなっている（σＤＣｍ＞σＭＡｍ，σＤＣｍ＞σＭＢｍ）。同様に、ｎ方向に沿って配列された単位パターン１４１のダミー細線３５１ａ，５５１ａのピッチＤＣｎのばらつきσＤＣｎが、単位小メッシュ３２２，５２２のピッチＭＡｎ，ＭＢｎのばらつきσＭＡｎ，σＭＢｎよりも大きくなっている（σＤＣｎ＞σＭＡｎ，σＤＣｎ＞σＭＢｎ）。このため、アライメントズレが発生してもタッチセンサ１の視認性の低下を一層抑制すると共に、設計に起因した電気特性のばらつきを一層抑制することができる。
【０１１３】
また、本実施形態では、ｍ方向に沿って配列された単位パターン１４１の重心ＧＡｍ，ＧＢｍが、同一の仮想直線ＶＬｍ上に位置していない。同様に、ｎ方向に沿って配列された単位パターン１４１の重心ＧＡｎ，ＧＢｎが、同一の仮想直線ＶＬｎ上に位置していない。このため、単位パターン１４１の配列を一層ばらつかせることができる。
【０１１４】
さらに、本実施形態では、第１の連結部３３の単位大メッシュ３３２のピッチＣＡｍ，ＣＡｎのばらつきσＣＡｍ，σＣＡｎが、第１の本体部３２の２つ分の単位小メッシュ３３２のピッチｊＭＡｍ，ｊＭＡｎのばらつきσｊＭＡｍ，σｊＭＡｎよりも大きくなっている（σＣＡｍ＞σｊＭＡｍ，σＣＡｎ＞σｊＭＡｎ）。同様に、本実施形態では、第２の連結部５３の単位大メッシュ５３２のピッチＣＢｍ，ＣＢｎのばらつきσＣＢｍ，σＣＢｎが、第２の本体部５２の２つ分の単位小メッシュ５３２のピッチｊＭＢｍ，ｊＭＢｎのばらつきσｊＭＢｍ，σｊＭＢｎよりも大きくなっている（σＣＢｍ＞σｊＭＢｍ，σＣＢｎ＞σｊＭＢｎ）。このため、第１の連結部３３と第２の連結部５３によって濃淡差が発生したとしても、当該濃淡差はランダムになる。従って、アライメントズレ（単位メッシュ３３２，５３２の位置ズレ）が発生しても、タッチセンサ１の視認性の悪化の抑制を図ることができる。
【０１１５】
本実施形態におけるピッチＤＡｍ，ＤＡｎが本発明における第１及び第５のピッチの一例に相当し、本実施形態におけるピッチＤＢｍ，ＤＢｎが本発明における第３及び第７のピッチの一例に相当する。また、本実施形態におけるピッチｊＭＡｍ，ｊＭＡｎが本発明における第４及び第８のピッチの一例に相当し、本実施形態におけるｋＭＢｍ，ｋＭＢｎが本発明における第２及び第６のピッチの一例に相当する。また、本実施形態におけるピッチＣＡｍ，ＣＡｎが本発明における第９のピッチの一例に相当し、本実施形態におけるピッチＣＢｍ，ＣＢｎが本発明における第１１のピッチの一例に相当する。また、本実施形態におけるピッチｊＭＡｍ，ｊＭＡｎが本発明における第１０のピッチの一例に相当し、本実施形態におけるピッチｋＭＢｍ，ｋＭＢｎが本発明における第１２のピッチの一例に相当する。
【０１１６】
≪第２実施形態≫
図１８は本発明の第２実施形態における第１及び第２の導体部を示す概略平面図、図１９は図１８のXIX部の拡大図である。なお、図１８及び図１９において、第１の導体部３０を実線で示し、第２の導体部５０を破線にて示す。また、図１８において、第１及び第２のダミーパターン３５Ｂ，５５Ｂ以外の構成については、概略のみを模式的に図示しており、後述する図２０、図２２及び図２４についても同様である。さらに、図１９には、突出部３２１ｅ，５２１ｅを含む細線３２１，５２１は図示しておらず、後述する図２１、図２３及び図２５についても同様である。
【０１１７】
本実施形態では、第１及び第２のダミーパターンの構成が第１実施形態と相違するが、それ以外の構成は第１実施形態と同様である。以下に、第２実施形態におけるタッチセンサについて第１実施形態との相違点についてのみ説明し、第１実施形態と同様の構成である部分については同一の符号を付してその説明を省略する。
【０１１８】
図１８及び図１９に示すように、本実施形態の第１のダミーパターン３５Ｂは、交差形状に代えて、一本のダミー細線３５１のみからなる直線形状を有している。このダミー細線３５１は、第１の本体部３２から第２の本体部５２に向かうｎ方向又はｍ方向に沿って延在している。
【０１１９】
図１９に示すように、ｍ方向に沿って配列された第１のダミーパターン３５Ｂのダミー細線３５１は、ピッチＤＡｍで並べられている。ｍ方向に沿って配列された第１のダミーパターン３５Ｂのダミー細線３５１は、ｎ方向においてばらついており、これらの重心ＧＡｍが、ｍ方向に沿った同一の仮想直線ＶＬｍ上に位置していない。ｍ方向のピッチＤＡｍの平均値Ａｖｅ（ＤＡｍ）は、第１の本体部３２のピッチＭＡｍの平均値Ａｖｅ（ＭＡｍ）の２倍である（Ａｖｅ（ＤＡｍ）＝２×Ａｖｅ（ＭＡｍ））。このピッチＤＡｍの標準偏差σＤＡｍは、２０μｍ〜１００μｍである（２０μｍ≦σＤＡｍ≦１００μｍ）。特に図示しないが、ｎ方向に沿って配列された第１のダミーパターン３５Ｂのダミー細線３５１についても同様である。
【０１２０】
本実施形態では、ｍ方向に沿って配列された第１のダミーパターン３５Ｂのダミー細線３５１のピッチＤＡｍのばらつきσＤＡｍが、第２の本体部５２における２つ分の単位小メッシュ５２２のピッチｊＭＢｍのばらつきσｊＭＢｍよりも大きくなっている（σＤＡｍ＞σｊＭＢｍ）。すなわち、ｍ方向に沿って配列された第１のダミーパターン３５Ｂのダミー細線３５１のピッチＤＡｍがばらついているのに対し、２つ分の単位小メッシュ５２２のピッチｊＭＢｍが実質的に一定となっている。
【０１２１】
また、本実施形態の第２のダミーパターン５５Ｂも、交差形状に代えて、一本のダミー細線５５１のみからなる直線形状を有している。このダミー細線５５１は、第１の本体部３２から第２の本体部５２に向かうｎ方向又はｍ方向に沿って延在している。
【０１２２】
図１９に示すように、ｍ方向に沿って配列された第２のダミーパターン５５Ｂのダミー細線５５１は、ピッチＤＢｍで並べられている。ｍ方向に沿って配列された第２のダミーパターン５５Ｂのダミー細線５５１は、ｎ方向においてばらついており、これらの重心ＧＢｍが、ｍ方向に沿った同一の仮想直線ＶＬｍ上に位置していない。ｍ方向のピッチＤＢｍの平均値Ａｖｅ（ＤＢｍ）も、第２の本体部５２のピッチＭＢｍの平均値Ａｖｅ（ＭＢｍ）の２倍である（Ａｖｅ（ＤＢｍ）＝２×Ａｖｅ（ＭＢｍ））。このピッチＤＢｍの標準偏差σＤＢｍは、２０μｍ〜１００μｍである（２０μｍ≦σＤＢｍ≦１００μｍ）。特に図示しないが、ｎ方向に沿って配列された第２のダミーパターン５５Ｂのダミー細線５５１についても同様である。
【０１２３】
本実施形態では、ｍ方向に沿って配列された第２のダミーパターン５５Ｂのダミー細線５５１のピッチＤＢｍのばらつきσＤＢｍが、第１の本体部３２における２つ分の単位小メッシュ３２２のピッチｊＭＡｍのばらつきσｊＭＡｍよりも大きくなっている（σＤＢｍ＞σｊＭＡｍ）。すなわち、ｍ方向に沿って配列された第２のダミーパターン５５Ｂのダミー細線５５１のピッチＤＢｍがばらついているのに対し、２つ分の単位小メッシュ３２２のピッチｊＭＡｍが実質的に一定となっている。
【０１２４】
そして、第１実施形態と同様に、第１及び第２のダミーパターン３５Ｂ，５５Ｂは、ｍ方向又はｎ方向に沿って交互に配列されており、組み合わせダミーパターン１４Ｂが形成されている。この組み合わせダミーパターン１４Ｂを構成する単位パターン１４１Ｂ（第１及び第２のダミーパターン３５Ｂ，５５Ｂ）は、ｍ方向又はｎ方向に沿って配列されている。
【０１２５】
本実施形態における単位パターン１４１Ｂが本発明におけるダミーパターンの一例に相当し、本実施形態における第１のダミーパターン３５Ｂが本発明における第１のダミーパターンの一例に相当し、本実施形態における第２のダミーパターン５５Ｂが本発明における第２のダミーパターンの一例に相当し、本実施形態におけるダミー細線３５１，５５１が本発明における第１のダミー細線の一例に相当する。
【０１２６】
図１９に示すように、ｍ方向に沿って配列された単位パターン１４１Ｂのダミー細線３５１，５５１は、ピッチＤＣｍで並べられている。ｍ方向に沿って配列された単位パターン１４１Ｂのダミー細線３５１，５５１は、ｎ方向においてばらついており、これらの重心ＧＡｍ，ＧＢｍが、ｍ方向に沿った同一の仮想直線ＶＬｍ上に位置していない。ｍ方向のピッチＤＣｍの平均値Ａｖｅ（ＤＣｍ）は、第１の本体部３２のピッチＭＡｍの平均値Ａｖｅ（ＭＡｍ）と実質的に同一であると共に（Ａｖｅ（ＤＣｍ）＝Ａｖｅ（ＭＡｍ））、第２の本体部５２のピッチＭＢｍの平均値Ａｖｅ（ＭＢｍ）とも実質的に同一である（Ａｖｅ（ＤＣｍ）＝Ａｖｅ（ＭＢｍ））。そして、このピッチＤＣｍの標準偏差σＤＣｍは、２０μｍ〜１００μｍである（２０μｍ≦σＤＣｍ≦１００μｍ）。特に図示しないが、ｎ方向に沿って配列された単位パターン１４１Ｂのダミー細線３５１，５５１についても同様である。
【０１２７】
本実施形態では、上述の第１実施形態と同様に、ｍ方向に沿って配列された単位パターン１４１Ｂのダミー細線３５１，５５１のピッチＤＣｍのばらつきσＤＣｍが、単位小メッシュ３２２，５２２のピッチＭＡｍ，ＭＢｍのばらつきσＭＡｍ，σＭＢｍよりも大きくなっている（σＤＣｍ＞σＭＡｍ，σＤＣｍ＞σＭＢｍ）。すなわち、ｍ方向に沿って配列された単位パターン１４１Ｂのダミー細線３５１，５５１のピッチＤＣｍがばらついているのに対し、単位小メッシュ３２２，５２２のピッチＭＡｍ，ＭＢｍが実質的に一定となっている。このため、本実施形態では、単位パターン１４１Ｂと第１及び第２の本体部３２，５２とによって濃淡差が発生しても、当該濃淡差がランダムになる。従ってアライメントズレ（第１及び第２の本体部３２，５２に対する単位パターン１４１Ｂの相対的な位置ズレ）が発生しても、タッチセンサの視認性の向上を図ることができる。
【０１２８】
≪第３実施形態≫
図２０は本発明の第２実施形態における第１及び第２の導体部を示す概略平面図、図２１のXXI部の拡大図である。本実施形態では、第１及び第２のダミーパターンの構成が第１実施形態と相違するが、それ以外の構成は第１実施形態と同様である。以下に、第３実施形態におけるタッチセンサについて第１実施形態との相違点についてのみ説明し、第１実施形態と同様の構成である部分については同一の符号を付してその説明を省略する。
【０１２９】
図２０及び図２１に示すように、本実施形態の第１のダミーパターン３５Ｃは、交差形状に代えて、一本のダミー細線３５１のみからなる直線形状を有している。このダミー細線３５１は、第１の本体部３２から第２の本体部５２に向かうｎ方向又はｍ方向に沿って延在している。第２のダミーパターン５５Ｃも、交差形状に代えて、一本のダミー細線５５１のみからなる直線形状を有している。このダミー細線５５１は、第１の本体部３２から第２の本体部５２に向かうｎ方向又はｍ方向に沿って延在している。そして、本実施形態では、第１のダミーパターン３５Ｃと第２のダミーパターン５５Ｃが直線状に並ぶことで、組み合わせダミーパターン１４Ｃの単位パターン１４１Ｃを形成している。
【０１３０】
本実施形態では、第１又は第２のダミーパターン３５Ｃ，５５Ｃが本発明におけるダミーパターンの一例に相当し、本実施形態における第１又は第２のダミーパターン３５Ｃ，５５Ｃが本発明における第１のダミーパターンの一例に相当し、本実施形態におけるダミー細線３５１又はダミー細線５５１が本発明における第１のダミー細線の一例に相当する。
【０１３１】
図２１に示すように、ｍ方向に沿って配列された第１のダミーパターン３５Ｃのダミー細線３５１は、ピッチＤＡｍで並べられている。ｍ方向に沿って配列された第１のダミーパターン３５Ｃのダミー細線３５１は、ｎ方向においてばらついており、これらの重心ＧＡｍが、ｍ方向に沿った同一の仮想直線ＶＬｍ上に位置していない。ｍ方向のピッチＤＡｍの平均値Ａｖｅ（ＤＡｍ）は、第１の本体部３２のピッチＭＡｍの平均値Ａｖｅ（ＭＡｍ）と実質的に同一であると共に（Ａｖｅ（ＤＡｍ）＝Ａｖｅ（ＭＡｍ））、第２の本体部５２のピッチＭＢｍの平均値Ａｖｅ（ＭＢｍ）とも実質的に同一である（Ａｖｅ（ＤＡｍ）＝Ａｖｅ（ＭＢｍ））。このピッチＤＡｍの標準偏差σＤＡｍは、２０μｍ〜１００μｍである（２０μｍ≦σＤＡｍ≦１００μｍ）。特に図示しないが、ｎ方向に沿って配列された第１のダミーパターン３５Ｃについても同様である。
【０１３２】
このように、本実施形態では、第１のダミーパターン３５Ｃのダミー細線３５１のピッチＤＡｍのばらつきσＤＡｍが、第１及び第２の本体部３２，５２の単位小メッシュ３２２のピッチＭＡｍ，ＭＢｍのばらつきσＭＡｍ，σＭＢｍよりも大きくなっている（σＤＡｍ＞σＭＡｍ，σＤＡｍ＞σＭＢｍ）。すなわち、第１のダミーパターン３５Ｃのダミー細線３５１のピッチＤＡｍがばらついているのに対し、単位小メッシュ３２２，５２２のピッチＭＡｍ，ＭＢｍが実質的に一定となっている。このため、本実施形態では、第１のダミーパターン３５Ｃと第２の本体部５２とによって濃淡差が発生しても、当該濃淡差がランダムになる。従って、アライメントズレ（第２の本体部５２に対する第１のダミーパターン３５Ｃの相対的な位置ズレ）が発生しても、タッチセンサの視認性の向上を図ることができる。
【０１３３】
また、図２１に示すように、ｍ方向に沿って配列された第２のダミーパターン５５Ｃのダミー細線５５１は、ピッチＤＢｍで並べられている。ｍ方向に沿って配列された第２のダミーパターン５５Ｃのダミー細線５５１は、ｎ方向においてばらついており、これらの重心ＧＢｍが、ｍ方向に沿った同一の仮想直線ＶＬｍ’上に位置していない。ｍ方向のピッチＤＢｍの平均値Ａｖｅ（ＤＢｍ）も、第１の本体部３２のピッチＭＡｍの平均値Ａｖｅ（ＭＡｍ）と実質的に同一であると共に（Ａｖｅ（ＤＢｍ）＝Ａｖｅ（ＭＡｍ））、第２の本体部５２のピッチＭＢｍの平均値Ａｖｅ（ＭＢｍ）とも実質的に同一である（Ａｖｅ（ＤＡｍ）＝Ａｖｅ（ＭＢｍ））。このピッチＤＢｍの標準偏差σＤＢｍは、２０μｍ〜１００μｍである（２０μｍ≦σＤＢｍ≦１００μｍ）。特に図示しないが、ｎ方向に沿って配列された第２のダミーパターン５５Ｃのダミー細線５５１についても同様である。
【０１３４】
このように、本実施形態では、ｍ方向に沿って配列された第２のダミーパターン５５Ｃのダミー細線５５１のピッチＤＢｍのばらつきσＤＢｍが、第１及び第２の本体部３２，５２の単位小メッシュ３２２，５２２のピッチＭＡｍ，ＭＢｍのばらつきσＭＡｍ，σＭＢｍよりも大きくなっている（σＤＢｍ＞σＭＡｍ，σＤＢｍ＞σＭＢｍ）。すなわち、第２のダミーパターン５５ＣのピッチＤＢｍがばらついているのに対し、単位小メッシュ３２２，５２２のピッチＭＡｍ，ＭＢｍが実質的に一定となっている。このため、本実施形態では、第２のダミーパターン５５Ｃと第１の本体部３２とによって濃淡差が発生しても、当該濃淡差がランダムになるため。従って、アライメントズレ（第１の本体部３２に対する第２のダミーパターン５５Ｃの相対的な位置ズレ）が発生しても、タッチセンサの視認性の向上を図ることができる。
【０１３５】
≪第４実施形態≫
図２２は本発明の第４実施形態における第１及び第２の導体部を示す平面図、図２３は図２２のXXIII部の拡大図である。本実施形態では、第１及び第２のダミーパターンの構成が第１実施形態と相違するが、それ以外の構成は第１実施形態と同様である。以下に、第４実施形態におけるタッチセンサについて第１実施形態との相違点についてのみ説明し、第１実施形態と同様の構成である部分については同一の符号を付してその説明を省略する。
【０１３６】
本実施形態の第１のダミーパターン３５Ｄは、交差形状に代えて、一本のダミー細線３５１ａ（３５１ｂ）のみからなる直線形状を有している。このダミー細線３５１ａ（３５１ｂ）は、第１の本体部３２から第２の本体部５２に向かうｎ方向又はｍ方向に沿って延在している。第２のダミーパターン５５Ｄも、交差形状に代えて、一本のダミー細線５５１ｂ（５５１ａ）のみからなる直線形状を有しているが、このダミー細線５５１ｂ（５５１ａ）は、第１のダミーパターン３５Ｃと直交するｍ方向又はｎ方向に沿って延在している。そして、本実施形態では、第１のダミーパターン３５Ｄと第２のダミーパターン５５Ｄが交差することで、十字形状を有する単位パターン１４１Ｄが形成されている。なお、本実施形態では、複数の単位パターン１４１Ｄは、相互に異なる形状を有している。
【０１３７】
本実施形態における単位パターン１４１Ｄが、本発明におけるダミーパターンの一例に相当し、本実施形態における第１のダミーパターン３５Ｄが本発明における第１のダミーパターンの一例に相当し、本実施形態におけるダミー細線３５１が本発明における第１のダミー細線の一例に相当する。また、実施形態における第２のダミーパターン５５Ｄが本発明における第２のダミーパターンの一例に相当し、本実施形態におけるダミー細線５５１が本発明における第２のダミー細線の一例に相当する。
【０１３８】
図２３に示すように、ｍ方向に沿って配列された単位パターン１４１Ｄのダミー細線３５１ａは、ピッチＤＡｍで並べられている。ｍ方向に沿って配列された単位パターン１４１Ｄのダミー細線３５１ａは、ｎ方向においてばらついており、これらの重心ＧＡｍが、ｍ方向に沿った同一の仮想直線ＶＬｍ上に位置していない。ｍ方向のピッチＤＡｍの平均値Ａｖｅ（ＤＡｍ）は、第１の本体部３２のピッチＭＡｍの平均値Ａｖｅ（ＭＡｍ）と実質的に同一であると共に（Ａｖｅ（ＤＡｍ）＝Ａｖｅ（ＭＡｍ））、第２の本体部５２のピッチＭＢｍの平均値Ａｖｅ（ＭＢｍ）とも実質的に同一である（Ａｖｅ（ＤＡｍ）＝Ａｖｅ（ＭＢｍ））。このピッチＤＡｍの標準偏差σＤＡｍは、２０μｍ〜１００μｍである（２０μｍ≦σＤＡｍ≦１００μｍ）。特に図示しないが、ｎ方向に沿って配列された単位パターン１４１Ｄのダミー細線３５１ｂについても同様である。
【０１３９】
このように、本実施形態では、ｍ方向に沿って配列された単位パターン１４１Ｄのダミー細線３５１ａのピッチＤＡｍのばらつきσＤＡｍが、第１及び第２の本体部３２，５２の単位小メッシュ３２２，５２２のピッチＭＡｍ，ＭＢｍのばらつきσＭＡｍ，σＭＢｍよりも大きくなっている（σＤＡｍ＞σＭＡｍ，σＤＡｍ＞σＭＢｍ）。すなわち、ｍ方向に沿って配列された単位パターン１４１Ｄのダミー細線３５１ａのピッチＤＡｍがばらついているのに対し、単位小メッシュ３２２，５２２のピッチＭＡｍ，ＭＢｍが実質的に一定となっている。このため、本実施形態では、第１のダミーパターン３５Ｄと第２の本体部５２とによって濃淡差が発生したとしても、当該濃淡差がランダムになる。従って、アライメントズレ（第２の本体部５２に対する第１のダミーパターン３５Ｄの相対的な位置ズレ）が発生しても、タッチセンサの視認性の向上を図ることができる。
【０１４０】
また、図２３に示すように、ｍ方向に沿って配列された単位パターン１４１Ｄのダミー細線５５１ｂは、ピッチＤＢｍで並べられている。なお、本実施形態では、このダミー細線５５１ｂのｍ方向に沿ったピッチＤＢｍは、相互に隣り合う第２のダミーパターン５５Ｄの重心ＧＢｍ間の距離である。ｍ方向に沿って配列された単位パターン１４１Ｄのダミー細線５５１ｂは、ｎ方向においてばらついており、これらの重心ＧＢｎが、ｍ方向に沿った同一の仮想直線ＶＬｍ’上に位置していない。ｍ方向のピッチＤＢｍの平均値Ａｖｅ（ＤＢｍ）は、第１の本体部３２のピッチＭＡｍの平均値Ａｖｅ（ＭＡｍ）と実質的に同一であると共に（Ａｖｅ（ＤＢｍ）＝Ａｖｅ（ＭＡｍ））、第２の本体部５２のピッチＭＢｍの平均値Ａｖｅ（ＭＢｍ）とも実質的に同一である（Ａｖｅ（ＤＢｍ）＝Ａｖｅ（ＭＢｍ））。このピッチＤＢｍの標準偏差σＤＢｍは、２０μｍ〜１００μｍである（２０μｍ≦σＤＢｍ≦１００μｍ）。特に図示しないが、ｎ方向に沿って配列された第２のダミーパターン５５Ｄのダミー細線５５１ａについても同様である。
【０１４１】
このように、本実施形態では、ｍ方向に沿って配列された単位パターン１４１Ｄのダミー細線５５１ｂのピッチＤＢｍのばらつきσＤＢｍが、第１及び第２の本体部３２，５２の単位小メッシュ３２２，５２２のピッチＭＡｍ，ＭＢｍのばらつきσＭＡｍ，σＭＢｍよりも大きくなっている（σＤＢｍ＞σＭＡｍ，σＤＢｍ＞σＭＢｍ）。すなわち、ｍ方向に沿って配列された単位パターン１４１Ｄのダミー細線５５１ｂのピッチＤＢｍがばらついているのに対し、単位小メッシュ３２２，５２２のピッチＭＡｍ，ＭＢｍが実質的に一定となっている。このため、本実施形態では、第２のダミーパターン５５Ｄと第１の本体部３２とによって濃淡差が発生したとしても、当該濃淡差がランダムになる。従って、アライメントズレ（第１の本体部３２に対する第２のダミーパターン５５Ｄの相対的な位置ズレ）が発生しても、タッチセンサの視認性の向上を図ることができる。
【０１４２】
≪第５実施形態≫
図２４は本発明の第５実施形態における第１及び第２の導体部を示す平面図、図２５は図２４のXXV部の拡大図である。本実施形態では、第１及び第２のダミーパターンの構成が第１実施形態と相違するが、それ以外の構成は第１実施形態と同様である。以下に、第５実施形態におけるタッチセンサについて第１実施形態との相違点についてのみ説明し、第１実施形態と同様の構成である部分については同一の符号を付してその説明を省略する。
【０１４３】
本実施形態では、図２４に示すように、第１の導体部３０の第１のダミーパターン３５Ｅは、第１の本体部３２のｎ方向側のみに設けられており、当該第１の本体部３２のｍ方向側には設けられていない。これに対し、第２の導体部５０の第２のダミーパターン５５Ｅは、第２の本体部５２のｍ方向側のみに設けられており、当該第１の本体部３２のｎ方向側には設けられていない。
【０１４４】
本実施形態では、第１又は第２のダミーパターン３５Ｅ，５５Ｅが本発明におけるダミーパターンの一例に相当し、第１又は第２のダミーパターン３５Ｅ，５５Ｅが本発明における第１のダミーパターンの一例に相当し、本実施形態におけるダミー細線３５１ａ又はダミー細線５５１ａが本発明における第１のダミー細線の一例に相当し、本実施形態におけるダミー細線３５１ｂ又はダミー細線５５１ｂが本発明における第２のダミー細線の一例に相当する。
【０１４５】
なお、第１の本体部３２に対する第１のダミーパターン３５Ｅの設置位置、及び、第２の本体部５２に対する第２のダミーパターン５５Ｅの設置位置は、特に上記に限定されない。例えば、第１のダミーパターン３５Ｅを第１の本体部３２のｍ方向側のみに設け、第２のダミーパターン５５Ｅを第２の本体部５２のｎ方向側のみに設けてもよい。
【０１４６】
図２５に示すように、ｍ方向に沿って配列された第１のダミーパターン３５Ｅのダミー細線３５１ａは、ピッチＤＡｍで並べられている。また、ｍ方向に沿って配列された第１のダミーパターン３５Ｅのダミー細線３５１ｂも、ピッチＤＡｍで並べられている。なお、このダミー細線３５１ｂのピッチＤＡｍは、相互に隣り合うダミー細線３５１ｂの重心ＧＡｍ間の距離であり、本実施形態では、ダミー細線３５１ａの重心とダミー細線３５１ｂの重心は一致している。そして、ｍ方向に沿って配列された第１のダミーパターン３５Ｅのダミー細線３５１ａは、ｎ方向においてばらついており、これらの重心ＧＡｍが、ｍ方向に沿った同一の仮想直線ＶＬｍ上に位置していない。同様に、ｍ方向に沿って配列されたダミー細線３５１ｂも，ｎ方向においてばらついており、これらの重心ＧＡｍが同一の仮想直線ＶＬｍ上に位置していない。
【０１４７】
ｍ方向のピッチＤＡｍの平均値Ａｖｅ（ＤＡｍ）は、第１の本体部３２のピッチＭＡｍの平均値Ａｖｅ（ＭＡｍ）とも実質的に同一であると共に（Ａｖｅ（ＤＡｍ）＝Ａｖｅ（ＭＡｍ））、第２の本体部５２のピッチＭＢｍの平均値Ａｖｅ（ＭＢｍ）とも実質的に同一である（Ａｖｅ（ＤＡｍ）＝Ａｖｅ（ＭＢｍ））。このピッチＤＡｍの標準偏差σＤＡｍは、２０μｍ〜１００μｍである（２０μｍ≦σＤＡｍ≦１００μｍ）。特に図示しないが、ｎ方向に沿って配列された第２のダミーパターン５５Ｅのダミー細線５５１ｂ，５５１ａについても同様である。
【０１４８】
このように、本実施形態では、ｍ方向に沿って配列された第１のダミーパターン３５Ｅのダミー細線３５１ａのピッチＤＡｍのばらつきσＤＡｍが、第１及び第２の本体部３２，５２の単位小メッシュ３２２，５２２のピッチＭＡｍ，ＭＢｍのばらつきσＭＡｍ，σＭＢｍよりも大きくなっている（σＤＡｍ＞σＭＡｍ，σＤＡｍ＞σＭＢｍ）。すなわち、ｍ方向に沿って配列された第１のダミーパターン３５Ｅのダミー細線３５１ａのピッチＤＡｍがばらついているのに対し、単位小メッシュ３２２，５２２のピッチＭＡｍ，ＭＢｍが実質的に一定となっている。このため、第１のダミーパターン３５Ｅと第２の本体部５２によって濃淡差が発生したとしても、当該濃淡差はランダムになる。従って、アライメントズレ（第２の本体部５２に対する第１のダミーパターン３５Ｅの相対的な位置ズレ）が発生しても、タッチセンサの視認性の向上を図ることができる。
【０１４９】
また、本実施形態では、ｍ方向に沿って配列された第１のダミーパターン３５Ｅのダミー細線３５１ｂのピッチＤＡｍのばらつきσＤＡｍが、第１及び第２の本体部３２，５２の単位小メッシュ３２２，５２２のピッチＭＡｍ，ＭＢｍのばらつきσＭＡｍ，σＭＢｍよりも大きくなっている（σＤＡｍ＞σＭＡｍ，σＤＡｍ＞σＭＢｍ）。すなわち、ｍ方向に沿って配列された第１のダミーパターン３５Ｅのダミー細線３５１ｂのピッチＤＡｍがばらついているのに対し、単位小メッシュ３２２，５２２のピッチＭＡｍ，ＭＢｍが実質的に一定となっている。このため、本実施形態では、アライメントズレが発生してもタッチセンサ１の視認性の低下を一層抑制すると共に、設計に起因した電気特性のばらつきを一層抑制することができる。
【０１５０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１５１】
例えば、上述の実施形態では、第１及び第２の本体部３２，５２の細線３２１，５２１が直線に形成されているが、特にこれに限定されず、当該細線３２１，５２１を、例えば、曲線、破線、ジグザグ線等にしてもよい。
【０１５２】
また、上述の実施形態では、第１の電極パターン３１は、第１の本体部３２と第１の連結部３３を含む、所謂、ダイヤモンドパターンを有しているが、第１の電極パターン３１のパターン形状は、特にこれに限定されない。例えば、第１の電極パターンが、当該第１の電極パターンの延在方向に沿って略均一の幅を有する帯状のパターンを有してもよい。第２の電極パターン５１についても同様に、ダイヤモンドパターンに代えて帯状パターンを有してもよい。
【０１５３】
また、上述の実施形態では、第１のダミーパターン３５〜３５Ｅと第２のダミーパターン５５〜５５Ｅの両方のピッチのばらつきを大きくしたが、特にこれに限定されず、第１３５〜３５Ｅのピッチのばらつき、又は、第２のダミーパターン５５〜５５Ｅのピッチのばらつきの一方のみを大きくしてもよい。
【０１５４】
また、上述の実施形態では、第１のダミーパターンの第１のダミー細線のピッチと、第２の本体部の単位メッシュのピッチとの比が、２：１の場合、或いは、１：１の場合について説明したが、特にこれに限定されない。例えば、第１のダミーパターンの第１のダミー細線のピッチと、第２の本体部の単位メッシュのピッチとの比が、１：２であってもよい。特に図示しないが、一例を挙げれば、単位小メッシュ３２２，５２２内に存在するダミーパターン５６，３６によって小さな単位メッシュ１５１が形成されている場合（図１５参照）において、第１のダミーパターンの第１のダミー細線のピッチと、第２の本体部の単位メッシュのピッチとの比を１：２としてもよい。第２のダミーパターンの第１のダミー細線、第１のダミーパターンの第２のダミー細線、及び、第２のダミーパターンの第２のダミー細線についても同様である。
【０１５５】
また、上述の実施形態では、第１の連結部３３の単位メッシュ３３２のピッチのばらつきと、第２の連結部５３の単位メッシュ５３２のピッチのばらつきの両方を大きくしたが、特にこれに限定されない。第１の連結部３３の単位メッシュ３３２のピッチのばらつき、又は、第２の連結部５３の単位メッシュ５３２のピッチのばらつきの一方のみを大きくしてもよい。
【０１５６】
また、上述の実施形態では、第１の連結部の単位メッシュのピッチと、第１の本体部の単位メッシュのピッチとの比が、２：１の場合について説明したが、特にこれに限定されない。例えば、第１の連結部の単位メッシュのピッチと、第１の本体部の単位メッシュのピッチとの比を、１：１としたり、１：２としてもよい。第２の連結部についても同様である。
【０１５７】
また、例えば、第１の絶縁部２０の下面を実装対象（フィルム、表面ガラス、偏光板、ディスプレイガラス等）に接着して、配線体１０を実装対象により支持させる形態として配線体を構成する場合、当該第１の絶縁部２０の下面に剥離シートを設け、実装時に当該剥離シートを剥がして実装対象に接着して実装する形態としてもよい。また、第１の絶縁部２０側から配線体１０を覆う樹脂部をさらに設け、当該樹脂部を介して、上述の実装対象に接着して実装する形態としてもよい。また、第３の絶縁部６０側を上述の実装対象に接着して実装する形態としてもよい。これらの場合、配線体を実装する実装対象が本発明の支持体の一例に相当する。
【０１５８】
さらに、上述の実施形態では、配線体又は配線基板は、タッチセンサに用いられるとして説明したが、特にこれに限定されない。例えば、配線体に通電して抵抗加熱等で発熱させることにより当該配線体をヒーターとして用いてもよい。また、配線体の導体部の一部を接地することにより当該配線体を電磁遮蔽シールドとして用いてもよい。また、配線体をアンテナとして用いてもよい。この場合、配線体を実装する実装対象が本発明の「支持体」の一例に相当する。
【符号の説明】
【０１５９】
１…タッチセンサ
２…配線基板
５…支持体
１０…配線体
１１…組み合わせパターン
１２…小メッシュパターン
１２１…単位小メッシュ
１３…小メッシュパターン
１３１…単位小メッシュ
１４…組み合わせダミーパターン
１４１…単位パターン
２０…第１の絶縁部
２１…凸部
３０…第１の導体部
３１…第１の電極パターン
３２…第１の本体部
３２１ａ，３２１ｂ…細線
３２１ｃ，３２１ｄ…接触面
３２１ｅ…突出部
３２２…単位小メッシュ
３３…第１の連結部
３３１ａ，３３１ｂ…細線
３３１ｃ…屈曲部分
３３２…単位大メッシュ
３４…第１の引出配線パターン
３５，３５Ｂ〜３５Ｅ…第１のダミーパターン
３５１ａ，３５１ｂ…ダミー細線
３５０…第１のダミーパターン群
４０…第２の絶縁部
４１…切欠部
５０…第２の導体部
５１…第２の電極パターン
５２…第２の本体部
５２１ａ，５２１ｂ…細線
５２２ｅ…突出部
５２２…単位小メッシュ
５３…第２の連結部
５３１ａ，５３１ｂ…細線
５３１ｃ…屈曲部分
５３２…単位大メッシュ
５４…第２の引出配線パターン
５５，５５Ｂ〜５５Ｅ…第２のダミーパターン
５５１ａ，５５１ｂ…ダミー細線
５５０…第２のダミーパターン群
６０…第３の絶縁部
６１…切欠部
７０…カバー部材
７１…透明部
７２…遮蔽部
Ｆ…外部導体
【図１】
2019212215.tif 000003
【図２】
2019212215.tif 000004
【図３】
2019212215.tif 000005
【図４】
2019212215.tif 000006
【図５】
2019212215.tif 000007
【図６】
2019212215.tif 000008
【図７】
2019212215.tif 000009
【図８】
2019212215.tif 000010
【図９】
2019212215.tif 000011
【図１０】
2019212215.tif 000012
【図１１】
2019212215.tif 000013
【図１２】
2019212215.tif 000014
【図１３】
2019212215.tif 000015
【図１４】
2019212215.tif 000016
【図１５】
2019212215.tif 000017
【図１６】
2019212215.tif 000018
【図１７】
2019212215.tif 000019
【図１８】
2019212215.tif 000020
【図１９】
2019212215.tif 000021
【図２０】
2019212215.tif 000022
【図２１】
2019212215.tif 000023
【図２２】
2019212215.tif 000024
【図２３】
2019212215.tif 000025
【図２４】
2019212215.tif 000026
【図２５】
2019212215.tif 000027